(57)【要約】【課題】  ユーザにより書かれたメモと、様々な種類の捕捉又は記録された情報とを統合する書類を生成する技法を与えること。【解決手段】  ユーザは、情報伝達イベント中に書き込まれるメモをとることができる。メモを取る間に、ユーザは、情報伝達イベントの間に捕捉される情報から、そのユーザにとって関心のある情報であってユーザがそのユーザのメモに統合しようとする又は組み込もうとする情報を確認することができる。ユーザにより書かれたメモの視覚的な表現、及びユーザがそのユーザのメモに統合しようとする情報部分の視覚的な表現を印刷することで、紙書類が生成される。【選択図】      図１Ａ
2004240968.tif 000002
【特許請求の範囲】
【請求項１】
１以上の紙ページにユーザにより記載された情報に基づいて及び情報伝達イベント中に１以上の情報捕捉装置によって捕捉された情報に基づいて書類を生成する方法であって：
１以上の紙ページにユーザにより記載された情報を表す第１情報にアクセスするステップであって、前記第１情報は前記ユーザにより記載されたメモを表す情報を含むところのステップ；
前記１以上の情報捕捉装置により捕捉された情報から、情報の１以上の部分を判別するステップ；
前記情報の１以上の部分における情報の各部分について視覚的表現を生成するステップ；及び
書類を生成するステップ；
より成り、前記書類の内容は、前記ユーザによって記載されたメモの視覚的表現と、前記情報の１以上の部分について生成された視覚的表現とを有する
ことを特徴とする方法。
【請求項２】
情報の１以上の部分を判別するステップが：
前記第１情報から１以上のマークを識別するステップであって、各マークは、前記１以上の情報捕捉装置によって捕捉された情報からの情報の部分が、前記ユーザにより記載されたメモに統合されることを示すところのステップ；
前記１以上のマークの各マークに関連付けられた時間情報を判別するステップ；及び
前記マークに関連付けられた時間情報に基づいて及び前記１以上の情報捕捉装置により捕捉された情報に関連付けられた時間情報に基づいて、前記１以上の情報捕捉装置により捕捉された情報から、前記１以上のマークの各マークに関する情報の部分を識別するステップ；
より成ることを特徴とする請求項１記載の方法。
【請求項３】
前記第１情報から１以上のマークを識別するステップが：
メモを書くためにユーザに使用される１以上の紙ページにおける１以上の特別領域の場所を識別するテンプレート情報にアクセスするステップ；及び
前記第１情報から、前記テンプレート情報により識別される１以上の特別領域に位置付けられた１以上のマークを識別するステップ；
より成ることを特徴とする請求項２記載の方法。
【請求項４】
ユーザにより記載される特殊なキャラクタがマークとして識別されることを特徴とする請求項２記載の方法。
【請求項５】
前記１以上のマークの各マークに関する情報の部分を識別するステップが：
マークに関する１以上の情報捕捉装置から情報捕捉装置を識別するステップ；及び
前記マークについて識別された情報捕捉装置により捕捉された情報の部分を選択するステップ；
より成ることを特徴とする請求項２記載の方法。
【請求項６】
前記マークに関する情報捕捉装置を識別するステップが：
前記マークに対応する情報の種別を判別するステップ；
前記１以上の情報捕捉装置から、前記マークに対応する種別の情報を記録するよう構成された一群の情報捕捉装置を識別するステップ；及び
前記マークに関する一群の情報捕捉装置から情報捕捉装置を選択するステップ；
より成ることを特徴とする請求項５記載の方法。
【請求項７】
書類を生成するステップが：
ユーザにより記載されたメモの視覚的表現と、情報の１以上の部分について生成された視覚的表現とを有する電子的表現を生成するステップ；及び
前記書類を生成するために、前記電子的表現を１以上の紙ページに印刷するステップ；
より成ることを特徴とする請求項１記載の方法。
【請求項８】
前記電子的表現を生成するステップが：
視覚的表現の各々を配置するため、ユーザにより記載されたメモの視覚的表現中の場所を決定するステップ；及び
視覚的表現の各々が、前記メモの視覚的表現における前記視覚的表現に対して決定された場所に配置されるように、前記電子的表現を生成するステップ；
より成ることを特徴とする請求項７記載の方法。
【請求項９】
前記情報の１以上の部分における情報の各部分について視覚的表現を生成するステップが：
情報の各部分についての情報の種別を判別するステップ；及び
情報の部分について判別された情報の種別に基づいて、情報の部分に関する視覚的表現を生成するステップ；
より成ることを特徴とする請求項１記載の方法。
【請求項１０】
情報の１以上の部分が、音声情報より成る第１部分を有し、視覚的表現を生成するステップが、前記第１部分における前記音声情報を翻音するステップより成ることを特徴とする請求項１記載の方法。
【請求項１１】
情報の１以上の部分が、映像情報より成る第１部分を有し、視覚的表現を生成するステップが、前記第１部分の前記映像情報からキーフレームを選択するステップより成ることを特徴とする請求項１記載の方法。
【請求項１２】
情報の１以上の部分を判別するステップが：
１以上の情報捕捉装置からの第１の情報捕捉装置による情報の捕捉を行なわせる信号を識別するステップ；及び
前記信号に応答して、前記第１の情報捕捉装置により捕捉された情報を識別するステップ；
より成ることを特徴とする請求項１記載の方法。
【請求項１３】
前記書類の内容が、前記信号に応答して前記第１の情報捕捉装置により捕捉された情報の視覚的表現より成ることを特徴とする請求項１２記載の方法。
【請求項１４】
情報の１以上の部分が第１部分を含み、情報の１以上の部分を判別するステップが、ある規則に関連付けられる閾値が満たされた場合に前記第１部分を選択するステップより成ることを特徴とする請求項１記載の方法。
【請求項１５】
ユーザにより紙ページに記載された情報に基づいて及び情報捕捉装置により捕捉された情報に基づいて、書類を生成する方法であって：
ユーザにより紙ページに記載された情報を表す第１情報にアクセスするステップであって、前記第１情報は前記ユーザにより前記紙ページに記載されたメモを表す情報を包含するところのステップ；
前記情報捕捉装置により捕捉された情報から情報の部分を判別するステップ；
情報の前記部分について視覚的表現を生成するステップ；及び
書類を生成するために、ユーザにより記載されたメモの視覚的表現と、１以上のページにおける情報の部分について生成された視覚的表現とを印刷するステップ；
より成ることを特徴とする方法。
【請求項１６】
情報の部分を判別するステップが：
前記第１情報から、ユーザにより記載されたマークを識別するステップ；
前記マークに関連付けられる時間情報を判別するステップ；及び
前記マークに関連付けられる前記時間情報に基づいて及び前記情報捕捉装置により捕捉された情報に関連付けられた時間情報に基づいて、情報の部分を識別するステップ；
より成ることを特徴とする請求項１５記載の方法。
【請求項１７】
情報の部分を判別するステップが：
第１信号を識別するステップ；及び
前記信号に応答して、前記情報捕捉装置により捕捉された情報から、前記情報捕捉装置により捕捉された情報の部分を識別するステップ；
より成ることを特徴とする請求項１５記載の方法。
【請求項１８】
前記情報の部分を判別するステップが、ある規則に関連付けられる閾値が満たされた場合に情報の部分を選択するステップより成ることを特徴とする請求項１５記載の方法。
【請求項１９】
１以上の紙ページにユーザにより記載された情報に基づいて及び情報伝達イベント中に１以上の情報捕捉装置によって捕捉された情報に基づいて書類を生成するシステムであって：
１以上の紙ページにユーザにより記載された情報を表す第１情報を受信するよう構成された通信モジュールであって、前記第１情報は前記ユーザにより記載されたメモを表す情報を含むところの通信モジュール；
プロセッサ；及び
前記プロセッサに接続され、前記プロセッサにより実行される複数のコードモジュールを格納するメモリ；
より成り、前記複数のコードモジュールは：
前記１以上の情報捕捉装置により捕捉された情報から、情報の１以上の部分を判別するコードモジュール；
前記情報の１以上の部分における情報の各部分について視覚的表現を生成するコードモジュール；及び
書類を生成するコードモジュール；
より成り、前記書類の内容は、前記ユーザによって記載されたメモの視覚的表現と、前記情報の１以上の部分について生成された視覚的表現とを有する
ことを特徴とするシステム。
【請求項２０】
情報の１以上の部分を判別するコードモジュールが：
前記第１情報から１以上のマークを識別するコードモジュールであって、各マークは、前記１以上の情報捕捉装置によって捕捉された情報からの情報の部分が、前記ユーザにより記載されたメモに統合されることを示すところのコードモジュール；
前記１以上のマークの各マークに関連付けられた時間情報を判別するコードモジュール；及び
前記マークに関連付けられた時間情報に基づいて及び前記１以上の情報捕捉装置により捕捉された情報に関連付けられた時間情報に基づいて、前記１以上の情報捕捉装置により捕捉された情報から、前記１以上のマークの各マークに関する情報の部分を識別するコードモジュール；
より成ることを特徴とする請求項１９記載のシステム。
【請求項２１】
前記第１情報から１以上のマークを識別するコードモジュールが：
メモを書くためにユーザに使用される１以上の紙ページにおける１以上の特別領域の場所を識別するテンプレート情報にアクセスするコードモジュール；及び
前記第１情報から、前記テンプレート情報により識別される１以上の特別領域に位置付けられた１以上のマークを識別するコードモジュール；
より成ることを特徴とする請求項２０記載のシステム。
【請求項２２】
ユーザにより記載される特殊なキャラクタがマークとして識別されることを特徴とする請求項２０記載のシステム。
【請求項２３】
前記１以上のマークの各マークに関する情報の部分を識別するコードモジュールが：
マークに関する１以上の情報捕捉装置から情報捕捉装置を識別するコードモジュール；及び
前記マークについて識別された情報捕捉装置により捕捉された情報の部分を選択するコードモジュール；
より成ることを特徴とする請求項２０記載のシステム。
【請求項２４】
前記マークに関する情報捕捉装置を識別するコードモジュールが：
前記マークに対応する情報の種別を判別するコードモジュール；
前記１以上の情報捕捉装置から、前記マークに対応する種別の情報を記録するよう構成された一群の情報捕捉装置を識別するコードモジュール；及び
前記マークに関する一群の情報捕捉装置から情報捕捉装置を選択するコードモジュール；
より成ることを特徴とする請求項２３記載のシステム。
【請求項２５】
書類を生成するコードモジュールが：
ユーザにより記載されたメモの視覚的表現と、情報の１以上の部分について生成された視覚的表現とを有する電子的表現を生成するコードモジュール；及び
前記書類を生成するために、前記電子的表現を１以上の紙ページに印刷するコードモジュール；
より成ることを特徴とする請求項１９記載のシステム。
【請求項２６】
前記電子的表現を生成するコードモジュールが：
視覚的表現の各々を配置するため、ユーザにより記載されたメモの視覚的表現中の場所を決定するコードモジュール；及び
視覚的表現の各々が、前記メモの視覚的表現における前記視覚的表現に対して決定された場所に配置されるように、前記電子的表現を生成するコードモジュール；
より成ることを特徴とする請求項２５記載のシステム。
【請求項２７】
前記情報の１以上の部分における情報の各部分について視覚的表現を生成するコードモジュールが：
情報の各部分についての情報の種別を判別するコードモジュール；及び
情報の部分について判別された情報の種別に基づいて、情報の部分に関する視覚的表現を生成するコードモジュール；
より成ることを特徴とする請求項１９記載のシステム。
【請求項２８】
情報の１以上の部分が、音声情報より成る第１部分を有し、視覚的表現を生成するコードモジュールが、前記第１部分における前記音声情報を翻音するコードモジュールより成ることを特徴とする請求項１９記載のシステム。
【請求項２９】
情報の１以上の部分が、映像情報より成る第１部分を有し、視覚的表現を生成するコードモジュールが、前記第１部分の前記映像情報からキーフレームを選択するコードモジュールより成ることを特徴とする請求項１９記載のシステム。
【請求項３０】
情報の１以上の部分を判別するコードモジュールが：
１以上の情報捕捉装置からの第１の情報捕捉装置による情報の捕捉を行なわせる信号を識別するコードモジュール；及び
前記信号に応答して、前記第１の情報捕捉装置により捕捉された情報を識別するコードモジュール；
より成ることを特徴とする請求項１９記載のシステム。
【請求項３１】
前記書類の内容が、前記信号に応答して前記第１の情報捕捉装置により捕捉された情報の視覚的表現より成ることを特徴とする請求項３０記載のシステム。
【請求項３２】
情報の１以上の部分が第１部分を含み、情報の１以上の部分を判別するコードモジュールが、ある規則に関連付けられる閾値が満たされた場合に前記第１部分を選択するコードモジュールより成ることを特徴とする請求項１９記載のシステム。
【請求項３３】
ユーザにより紙ページに記載された情報に基づいて及び情報捕捉装置により捕捉された情報に基づいて、書類を生成するシステムであって：
ユーザにより紙ページに記載された情報を表す第１情報を受信するよう構成された通信モジュールであって、前記第１情報は前記ユーザにより前記紙ページに記載されたメモを表す情報を包含するところの通信モジュール；
プロセッサ；及び
前記プロセッサに接続され、前記プロセッサにより実行される複数のコードモジュールを格納するよう構成されたメモリ；
より成り、前記複数のコードモジュールが：
前記情報捕捉装置により捕捉された情報から情報の部分を判別するコードモジュール；
情報の前記部分について視覚的表現を生成するコードモジュール；及び
書類を生成するために、ユーザにより記載されたメモの視覚的表現と、１以上のページにおける情報の部分について生成された視覚的表現とを印刷するコードモジュール；
より成ることを特徴とするシステム。
【請求項３４】
情報の部分を判別するコードモジュールが：
前記第１情報から、ユーザにより記載されたマークを識別するコードモジュール；
前記マークに関連付けられる時間情報を判別するコードモジュール；及び
前記マークに関連付けられる前記時間情報に基づいて及び前記情報捕捉装置により捕捉された情報に関連付けられた時間情報に基づいて、情報の部分を識別するコードモジュール；
より成ることを特徴とする請求項３３記載のシステム。
【請求項３５】
情報の部分を判別するコードモジュールが：
第１信号を識別するコードモジュール；及び
前記信号に応答して、前記情報捕捉装置により捕捉された情報から、前記情報捕捉装置により捕捉された情報の部分を識別するコードモジュール；
より成ることを特徴とする請求項３３記載のシステム。
【請求項３６】
前記情報の部分を判別するコードモジュールが、ある規則に関連付けられる閾値が満たされた場合に情報の部分を選択するコードモジュールより成ることを特徴とする請求項３３記載のシステム。
【請求項３７】
コンピュータ読み取り可能な媒体に格納され、ユーザにより紙ページに記載された情報に基づいて及び情報捕捉装置により捕捉された情報に基づいて、書類を生成するためのコンピュータプログラムであって：
ユーザにより紙ページに記載された情報を表す第１情報にアクセスするステップであって、前記第１情報は前記ユーザにより前記紙ページに記載されたメモを表す情報を包含するところのステップ；
前記情報捕捉装置により捕捉された情報から情報の部分を判別するステップ；
情報の前記部分について視覚的表現を生成するステップ；及び
書類を生成するために、ユーザにより記載されたメモの視覚的表現と、１以上のページにおける情報の部分について生成された視覚的表現とを印刷するステップ；
を実行させる命令より成ることを特徴とするコンピュータプログラム。
【請求項３８】
情報の部分を判別するステップを実行させる命令が：
前記第１情報から、ユーザにより記載されたマークを識別するステップ；
前記マークに関連付けられる時間情報を判別するステップ；及び
前記マークに関連付けられる前記時間情報に基づいて及び前記情報捕捉装置により捕捉された情報に関連付けられた時間情報に基づいて、情報の部分を識別するステップ；
を実行させる命令より成ることを特徴とする請求項３７記載のコンピュータプログラム。
【請求項３９】
情報の部分を判別するステップを実行させる命令が：
第１信号を識別するステップ；及び
前記信号に応答して、前記情報捕捉装置により捕捉された情報から、前記情報捕捉装置により捕捉された情報の部分を識別するステップ；
を実行させる命令より成ることを特徴とする請求項３７記載のコンピュータプログラム。
【請求項４０】
前記情報の部分を判別するステップを実行させる命令が、ある規則に関連付けられる閾値が満たされた場合に情報の部分を選択するステップを実行させる命令より成ることを特徴とする請求項３７記載のコンピュータプログラム。
【請求項４１】
コンピュータ読み取り可能な媒体に格納され、１以上の紙ページにユーザにより記載された情報に基づいて及び情報伝達イベント中に１以上の情報捕捉装置によって捕捉された情報に基づいて書類を生成するためのコンピュータプログラムであって：
１以上の紙ページにユーザにより記載された情報を表す第１情報にアクセスするステップであって、前記第１情報は前記ユーザにより記載されたメモを表す情報を含むところのステップ；
前記１以上の情報捕捉装置により捕捉された情報から、情報の１以上の部分を判別するステップ；
前記情報の１以上の部分における情報の各部分について視覚的表現を生成するステップ；及び
書類を生成するステップ；
を実行させる命令より成り、前記書類の内容は、前記ユーザによって記載されたメモの視覚的表現と、前記情報の１以上の部分について生成された視覚的表現とを有する
ことを特徴とするコンピュータプログラム。
【請求項４２】
情報の１以上の部分を判別させる命令が：
前記第１情報から１以上のマークを識別するステップであって、各マークは、前記１以上の情報捕捉装置によって捕捉された情報からの情報の部分が、前記ユーザにより記載されたメモに統合されることを示すところのステップ；
前記１以上のマークの各マークに関連付けられた時間情報を判別するステップ；及び
前記マークに関連付けられた時間情報に基づいて及び前記１以上の情報捕捉装置により捕捉された情報に関連付けられた時間情報に基づいて、前記１以上の情報捕捉装置により捕捉された情報から、前記１以上のマークの各マークに関する情報の部分を識別するステップ；
を実行させる命令より成ることを特徴とする請求項４１記載のコンピュータプログラム。
【請求項４３】
前記１以上のマークの各マークに関する情報の部分を識別させる命令が：
マークに関する１以上の情報捕捉装置から情報捕捉装置を識別するステップ；及び
前記マークについて識別された情報捕捉装置により捕捉された情報の部分を選択するステップ；
を実行させる命令より成ることを特徴とする請求項４２記載のコンピュータプログラム。
【請求項４４】
前記マークに関する情報捕捉装置を識別させる命令が：
前記マークに対応する情報の種別を判別するステップ；
前記１以上の情報捕捉装置から、前記マークに対応する種別の情報を記録するよう構成された一群の情報捕捉装置を識別するステップ；及び
前記マークに関する一群の情報捕捉装置から情報捕捉装置を選択するステップ；
を実行させる命令より成ることを特徴とする請求項４３記載のコンピュータプログラム。
【請求項４５】
書類を生成させる命令が：
ユーザにより記載されたメモの視覚的表現と、情報の１以上の部分について生成された視覚的表現とを有する電子的表現を生成するステップ；及び
前記書類を生成するために、前記電子的表現を１以上の紙ページに印刷するステップ；
を実行させる命令より成ることを特徴とする請求項４１記載のコンピュータプログラム。
【請求項４６】
前記電子的表現を生成させる命令が：
視覚的表現の各々を配置するため、ユーザにより記載されたメモの視覚的表現中の場所を決定するステップ；及び
視覚的表現の各々が、前記メモの視覚的表現における前記視覚的表現に対して決定された場所に配置されるように、前記電子的表現を生成するステップ；
を実行させる命令より成ることを特徴とする請求項４５記載のコンピュータプログラム。
【請求項４７】
前記情報の１以上の部分における情報の各部分について視覚的表現を生成させる命令が：
情報の各部分についての情報の種別を判別するステップ；及び
情報の部分について判別された情報の種別に基づいて、情報の部分に関する視覚的表現を生成するステップ；
を実行させる命令より成ることを特徴とする請求項４１記載のコンピュータプログラム。
【請求項４８】
情報の１以上の部分が、音声情報より成る第１部分を有し、視覚的表現を生成させる命令が、前記第１部分における前記音声情報を翻音させる命令より成ることを特徴とする請求項４１記載のコンピュータプログラム。
【請求項４９】
情報の１以上の部分が、映像情報より成る第１部分を有し、視覚的表現を生成させる命令が、前記第１部分の前記映像情報からキーフレームを選択させる命令より成ることを特徴とする請求項４１記載のコンピュータプログラム。
【請求項５０】
情報の１以上の部分を判別させる命令が：
１以上の情報捕捉装置からの第１の情報捕捉装置による情報の捕捉を行なわせる信号を識別するステップ；及び
前記信号に応答して、前記第１の情報捕捉装置により捕捉された情報を識別するステップ；
を実行させる命令より成ることを特徴とする請求項４１記載のコンピュータプログラム。
【請求項５１】
前記書類の内容が、前記信号に応答して前記第１の情報捕捉装置により捕捉された情報の視覚的表現より成ることを特徴とする請求項５０記載のコンピュータプログラム。
【請求項５２】
情報の１以上の部分が第１部分を含み、情報の１以上の部分を判別させる命令が、ある規則に関連付けられる閾値が満たされた場合に前記第１部分を選択させる命令より成ることを特徴とする請求項４１記載のコンピュータプログラム。
【発明の詳細な説明】
【技術分野】
【０００１】
本発明は、メモ書きに関連し、特にユーザによるメモに関連する様々な種類の捕捉及び記録された情報を統合する技術に関連する。
【背景技術】
【０００２】
メモ書きは、情報を取得する最も普及した形式の１つである。メモをとるために今日利用可能なパーソナルディジタルアシスタンス（ＰＤＡ）やラップトップのようないくつかの装置が存在するが、依然として多くのユーザは、ペンや鉛筆のようなマーキング部材を利用して紙製のノートのような紙媒体にメモをとることを好む。メモをとる行為は、教室内を含む、プレゼンテーション中や会議中等の様々な環境で実行される。例えば、会議出席者は、その会議で提示される情報を取るための紙片にメモをとるためにペンや鉛筆を使用し、学生は、講義中に教授により教示される情報を取るためにメモを取る、等である。
【０００３】
一般に、メモを取る行為は、メモを取る者により実行されるいくつかの機能を包含する。それらの機能は、情報の捕捉、情報の選別又はフィルタリング、及び情報の組織化を含む。メモを取る者は、情報を、紙にその全体を書き下ろすことにより又は少数の言葉を書き下ろすことにより捕捉し、その少数の言葉は、メモを取る者に関心のある情報を想起させるもの（ｒｅｍｉｎｄｅｒ）又は指標（ｉｎｄｉｃａｔｏｒ）としてはたらく。メモを取る者は、そのメモを取る者に重要な情報の部分のみを記載することで、情報を選別する。最終的に、メモは、メモを取る者が、そのメモを取る者にとって個人的に有意義であるように情報を組織化することを可能にする。
【０００４】
会議、講義、プレゼンテーション等のような情報を伝達する際に、様々な種類の情報が、１以上のソースから出される。例えば、プレゼンテーションでは、伝達される情報は、発表者その他任意の出席者の話す音声情報、スピーカやテレビジョン等のような音声出力装置による音声情報出力、スライド情報（例えば、マイクロソフトパワーポイントアプリケーションを用いて提示されるスライド）、コンピュータディスプレイ又は画面に提示される画像（例えば、写真等）、ホワイトボードに記載される情報（ホワイトボード情報）、テレビジョンや映画プロジェクタ等のような映像出力装置を利用する映像情報出力その他の種類の情報を包含し得る。プレゼンテーションに出席する者は、１以上のソースにより出力される情報を取得するためにメモをとる。その者は、様々な詳細の度合いで情報を取得することに関心がある。例えば、その者は、発表者の話す正確な引用文を捕捉すること、又はスクリーンに示されるスライドを捕捉すること、ホワイトボードに描かれた図を捕捉すること等を希望する。
【発明の開示】
【発明が解決しようとする課題】
【０００５】
上述したように、多くの場合に、人は、ペンや鉛筆のようなマーキング部材を利用して紙媒体（例えば、紙製のノート）にメモを取ることで、情報伝達の際に情報を取得する。このような場合に、その人が取得し得る情報の詳細度合いは、一般に、その人の筆記する速度に依存する。多くの場合に、その人（即ち、メモを取る者）は所望の情報を取得するのに充分な時間を有しない。例えば、メモを取る人は、その情報伝達イベントが次のスライドに移行する前に、スライドの一部分を写すことしかできない。更に、スライド情報を写す場合に、メモを取る者は、会議自体から注意がそれており、その結果その情報伝達イベントで伝達される他の重要な情報を見逃してしまう。その結果、メモを取る者は、そのメモを取る者が得ることを望む情報を得ることができない。また、メモに誤りが導入される虞もある。
【０００６】
会議捕捉技術は、メモを取る者が直面するいくつかの問題を軽減するように設計される。既存の会議捕捉技術は、会議のような情報伝達イベントで伝達される様々な種類の情報を捕捉する機能を与える。例えば、音声情報、映像情報、画像情報、ホワイトボード情報、スライド情報その他の会議で伝達される情報は捕捉され、情報伝達イベントの後に関心のあるユーザに利用可能にする。しかしながら、従来の会議捕捉技術は、メモを取る者が、情報伝達イベントの際に捕捉される情報を選別する、確認する又は組織化することを許容しない。典型的には、メモを取る者は、情報伝達イベントが終了した後に、捕捉された情報に目を通し、そのユーザにとって関心のある捕捉情報の部分を確認しながら何時間も費やす必要がある。加うるに、従来の会議捕捉技術は、情報伝達イベントの間に、メモを取る者にとって関心のある捕捉情報を、メモを取る者により取得されるメモに関連付ける手法を与えない。
【０００７】
従って、改善されたメモを取る技術が必要とされる。
【課題を解決するための手段】
【０００８】
本発明の一態様は、ユーザにより書かれたメモと、様々な種類の捕捉又は記録された情報とを統合する書類を生成する技術を与える。本発明の一態様によれば、ユーザは、情報伝達イベント中に書き込まれるメモをとり得る。メモを取る間に、ユーザは、情報伝達イベントの間に捕捉される情報から、ユーザがそのユーザのメモに統合しようとする又は組み込もうとする情報を確認することができる。ユーザにより書かれたメモの視覚的な表現、及びユーザがそのユーザのメモに統合しようとする情報部分の視覚的な表現を印刷することで、紙書類が生成される。
【０００９】
本発明の一態様によれば、紙のページにユーザが書いた情報と、情報捕捉装置によって捕捉された情報とに基づいて、紙書類を生成する技術が与えられる。この態様では、紙のページにユーザが書いた情報を表す情報が、アクセスされる。アクセスされる情報は、紙ページにそのユーザが書いたメモを表す情報を含む。情報捕捉装置により捕捉された情報からの情報の部分は、その後に決定される。視覚的な表現は、情報のその部分について生成される。ユーザの書いたメモを表す視覚的表現、及び１以上の紙ページの情報部分について生成される視覚的表現を印刷することで、紙書類が生成される。
【００１０】
他の特徴と共に上述の本発明の態様及び利点は、以下の明細書、請求の範囲及び添付図面を参照することで一層明確になるであろう。
【発明を実施するための最良の形態】
【００１１】
本発明の実施例は、ユーザの書いたメモと、捕捉又は記録された様々な種類の情報とを統合する書類を作成する技術を与える。本発明の実施例によれば、ユーザは情報伝達イベント中に記載されるメモをとることができる。メモを取りながら、ユーザは、情報伝達イベント中に取得される情報から、そのユーザにとって関心があり且つそのユーザがユーザのメモと統合しようとする又はそこに組み入れようとする情報を確認することができる。ユーザの書いたメモの視覚的な表現及びユーザがユーザのメモに組み入れようとする情報部分の視覚的な表現を印刷することで、書類が生成される。
【００１２】
本発明の実施例によれば、メモに関する印刷可能な多くの電子バージョンが生成され、その電子形式はユーザの記載したメモとユーザのメモに統合されるようにユーザにより要求された情報を表すものとを統合する。増やされる電子メモバージョン（ａｕｇｍｅｎｔｅｄ  ｅｌｅｃｔｒｏｎｉｃ  ｎｏｔｅｓ  ｖｅｒｓｉｏｎ）は、増やされるメモ書類を生成するために紙媒体に印刷されることが可能であり、その増やされるメモ書類は、ユーザの書いた視覚的表現と、ユーザのメモに統合されるようにユーザによって確認された情報の視覚的表現とを有する。
【００１３】
本願に関し、「情報伝達イベント」なる語は、１種類以上の情報が伝達される任意のイベント又はその間の時間を含むように意図される。情報伝達イベントの例は、会議、プレゼンテーション、講義、打ち合わせ、グループミーティング等を含む。情報伝達イベントの間に伝達される情報の種類は、音声情報、映像情報、スライド情報、ホワイトボード情報、画像情報その他任意の情報を包含し得る。情報伝達イベントは、時間的に連続している必要はなく、非連続的な期間にわたって分散されることも可能である。例えば、プレゼンテーションが、数日間にわたって分散すること、及び別の情報伝達イベント又は他のイベントによって散在することが可能である。また、情報伝達イベントは、１以上の情報伝達イベントを表現し得る。
【００１４】
ある情報伝達イベント中に伝達される様々な種類の情報が、捕捉又は記録される。例えば、情報伝達イベントの間に捕捉される情報は、音声情報、映像情報、画像情報、ホワイトボード情報、スライド情報その他の種類の情報を包含し得る。その情報を捕捉するために１以上の装置（情報捕捉装置）が使用され得る。本願に関し、「捕捉された（ｃａｐｔｕｒｅｄ）」及び「記録された（ｒｅｃｏｒｄｅｄ）」なる語は、同義語的に使用される。
【００１５】
ユーザは、情報伝達イベント中にユーザにより書かれるメモに統合される又は組み込まれよう捕捉される１以上の情報を識別する。本発明の実施例によれば、ユーザのメモに統合される情報の部分について視覚的な表現（「静的な視覚的表現」（ｓｔａｔｉｃ  ｖｉｓｕａｌ  ｒｅｐｒｅｓｅｎｔａｔｉｏｎ）とも呼ばれる）が生成される。静的な視覚的表現又は情報部分についての視覚的な表現は、紙媒体又は紙ページに印刷されることの可能な情報部分を表す。静的な視覚的表現及びユーザの書いたメモの表現を含む、増加した印刷可能なメモの電子バージョンが生成される。増やされるメモの電子バージョンは、紙に印刷されることの可能な画像ファイルやＰＤＦファイル等のような様々な形式で生成される。他の実施例では、増やされるメモの電子バージョンは、紙に印刷され得るウェブページ等の形式でも生成される。この実施例では、ユーザは増やされるメモの電子バージョンとやりとりをすることが可能にされる。増やされるメモの紙書類は、その増加した電子バージョンを紙媒体に印刷することによって生成される。従って、増やされるメモの紙書類は、ユーザのメモの視覚的表現に統合されるメモにおける、ユーザにより識別された情報種別の視覚的表現より成る。
【００１６】
上述したように、増やされるメモ書類は、そのメモの増加した電子バージョンを紙媒体に印刷することによって生成される。本願で使用される「紙」又は「紙ページ」なる語は、情報が印刷、描画、押印又は型押し等がなされる任意の物理的な現実の媒体を言及することが意図される。「紙書書類」なる語は、１以上の紙ページより成る物理的な書類に言及されることが意図される。本願に関し、「印刷」なる語は、印刷すること、書くこと、描くこと、押印すること、型押しすること等を包含することが意図される。
【００１７】
図１Ａ，１Ｂは、本発明の概略的な実施例を示す。図１，１Ｂに示される例は、本発明についての単なる例示であり、特許請求の範囲に記載されるような本発明の範囲を限定するものではない。当業者は他の変形、修正及び代替物を認識するであろう。
【００１８】
図１Ａに示される例は、１以上の画像捕捉装置（ＩＣＤ）１００、メモ取得装置１０２、データ処理システム１０４及び書類出力装置１０６を含む。情報捕捉装置１００は、情報伝達イベント中に情報を捕捉する（又は記録する）ように構成される。例えば、情報捕捉装置１００は、会議、プレゼンテーション、講義等の最中に情報を捕捉するように構成される。情報捕捉装置１００は１種類以上の情報を捕捉するよう構成される。更に、特定の種別の情報を捕捉するために、複数の情報捕捉装置が設けられる。情報捕捉装置１００は、音声情報捕捉装置、映像情報捕捉装置、画像情報捕捉装置、スライド情報捕捉装置、ホワイトボード情報捕捉装置、様々な種別の情報を捕捉するよう構成されたマシンセンサ（ｍａｃｈｉｎｅ  ｓｅｎｓｏｒ）等を包含し得る。
【００１９】
本願に関し、「捕捉装置」又は「情報捕捉装置」なる語は、１種類以上の情報を捕捉又は記録するよう構成される任意の装置、システム又はアプリケーションを言及することが意図される。音声情報を捕捉し得る情報捕捉装置１００の例は、様々な形式のマイクロフォン、映像カメラ、様々な他の音声捕捉装置を包含する。映像情報を捕捉し得る情報捕捉装置１００の例は、映像カメラや様々な他の映像捕捉装置を包含する。画像情報を捕捉し得る情報捕捉装置１００の例は、画像を捕捉するよう構成された映像カメラ、様々な種類のカメラ及び様々な他の画像捕捉装置を包含する。ホワイトボード情報捕捉装置は、ホワイトボードの内容を捕捉するように適切に設けられたカメラのような装置、その内容を捕捉するためにホワイトボードを走査（スキャン）するように構成された装置、及び様々な他のホワイトボード装置を包含する。スライド情報捕捉装置は、スライドの画像を捕捉し得るカメラ、スライド表示アプリケーションに取り出してスライド情報を捕捉し得る装置、及び他の種類の装置を包含する。マシンセンサは、鼓動情報を捕捉するよう構成される心臓モニタのようなセンサ、圧力変化を捕捉するよう構成された圧力ゲージ、温度変化を捕捉するよう構成された温度センサ等を包含する。情報伝達イベント中に出力される他の種類の情報を捕捉するために、他の様々な情報捕捉装置１００も設けられ得る。
【００２０】
情報捕捉装置１００は情報を捕捉するために様々な技術を利用する。例えば、マイクロフォンは、スピーカ等のような情報源から出力される音声情報を捕捉するよう構成される。また、情報捕捉装置１００は、情報ソースに信号入力又はタッピング（ｔａｐｐｉｎｇ）することで情報源から情報を捕捉するよう構成される。例えば、情報ソースが映像ストリームを出力する機器又は装置（例えば、テレビジョン、映像又はＤＶＤプレイヤ、プロジェクタ等）である場合に、映像捕捉装置は、その情報源の装置又は機器にタッピングすることで、映像ストリームを捕捉する。
【００２１】
１種類以上の情報を捕捉することに加えて、本発明の実施例によれば、各情報捕捉装置１００は、捕捉した情報又はその一部に時間情報を関連付けるよう構成される。時間情報は、その情報が情報捕捉装置１００によって捕捉された時間を近似的に識別する。例えば、情報捕捉装置１００がカメラである場合に、そのカメラは、カメラによって捕捉された写真又は画像各々にタイムスタンプを押すことが可能である。写真又は画像に関連付けられるタイムスタンプ（即ち、時間情報）は、そのカメラがその情報を取得した時点を示す。他の例として、映像カメラは、情報伝達イベント中に映像カメラによって捕捉された音声及び映像情報にタイムスタンプを押すことも可能である。捕捉された情報に関連付けられる時間情報は、（例えば写真用に）離散的でもよいし、（例えば音声や映像ストリーム用に）連続的であってもよい。
【００２２】
捕捉された情報のタイムスタンプを可能にするために、情報捕捉装置１００は、情報が捕捉された時を判別するために使用される内部クロック又はタイマを含み得る。情報捕捉装置１００の内部クロックは、校正され、別の情報捕捉装置１００のクロックとの同期がとられる。情報捕捉装置１００のクロックの同期は、以下に説明される本発明の教示するものにより実行される処理を支援する。
【００２３】
捕捉情報のタイムスタンプ処理（即ち、時間情報を捕捉情報に関連付けること）が可能な情報捕捉装置自体は、当該技術分野でよく知られており、従って本願では更に詳細には説明されない。関連付けられた時間情報と共に捕捉情報は、情報捕捉装置に格納される。本発明の実施例によれば、情報捕捉装置１００は、本発明の教示による更なる処理のために捕捉情報及び関連する時間情報をデータ処理システム１０４に与えるよう構成される。他の例では、情報捕捉装置は、データ処理システム１０４によりアクセスされ得るメモリロケーションにて時間情報と共に捕捉情報を格納する。
【００２４】
情報伝達イベントの間に、情報捕捉装置１００は情報を捕捉する一方、ユーザは紙媒体にメモをとっている。本発明の実施例によれば、情報捕捉装置１００は、情報捕捉装置１００により捕捉された情報と共に、ユーザのメモに関連する情報を格納する。情報捕捉装置により捕捉された捕捉情報の一部に関し、その情報部分が捕捉された時点でユーザのメモの中での場所（メモ内場所情報）を見分ける情報が、格納され且つその捕捉された情報部分に関連付けられる。例えば、カメラのようなホワイトボード情報捕捉装置がホワイトボードの画像を捕捉する場合に、その捕捉の時点でユーザがメモをとっているページを識別する情報が、捕捉されるホワイトボード画像と共に格納される。例えば、「ユーザがメモの第３ページにいた時にホワイトボード画像が捕捉された」のような情報が格納され、捕捉された画像情報に関連付けられる。
【００２５】
情報捕捉装置は、ユーザのメモからページ情報を読出すことの可能なセンサ又はリーダ（例えば、ページ数バーコードリーダ）からメモ内場所情報を受信する。また、ユーザは、捕捉装置にその情報を手動で与え得る。例えば、捕捉装置は、メモ内情報（例えば、ページ情報）を情報捕捉装置に示すために使用するダイヤルやボタンを備える。捕捉情報の一部に関連付けられる場所時間情報は、捕捉された情報部分の静的な視覚的表現物が置かれるページを判別するために使用される（本実施例では、捕捉情報に関するタイムスタンプ情報が格納される。）。
【００２６】
情報捕捉装置１００は、情報伝達イベント中に情報の捕捉を可能にする場所に適切に設けられる。例えば、会議室内で行なう会議中に、情報捕捉装置１００はその会議室内に設けられる。１以上の遠隔場所からの人がその会議に参加している場合には、その遠隔場所に１以上の捕捉装置が設けられ得る。また、情報捕捉装置１００は会議室外部にも設けられ得る。また、情報捕捉装置１００は、例えば、出席者により携帯される個人用カメラ、出席者により使用される個人用テープレコーダ等のように会議参加者によって持ち運ばれることも可能である。本発明の実施例によれば、情報伝達イベントに出席するユーザは、情報伝達イベント中に１以上の情報捕捉装置１００の動作を制御することが可能である。
【００２７】
ユーザ（しばしば、メモ取得者としても言及される）は、メモ取得装置１０２を里余湯してメモを取る。本発明の実施例によれば、メモ取得装置１０２はユーザがメモを取るための紙インターフェースを備える。例えば、メモ取得装置１０２は、メモを取得するユーザに使用される紙ページを備える。ユーザは、鉛筆やペン等のようなマーキング装置を利用してメモを取る。
【００２８】
本発明の実施例によれば、メモ取得装置１０２は、情報伝達イベント中にユーザにより紙に書かれた情報を捕捉するよう構成される。メモ取得装置１０２により捕捉された情報は、ユーザの手書きメモ及び他の書き込み情報（例えば、以下に説明されるような、ユーザによりなされた印）を包含する。メモ取得装置１０２は、ＸＭＬ（拡張可能マーク付け言語）フォーマット、画像フォーマット等を含む様々なフォーマットで、捕捉された書き込み情報を格納する。メモ取得装置１０２は、１つの情報伝達イベントに対する書き込み情報を捕捉及び格納するように構成されることも、複数の情報伝達イベントに対する捕捉情報を別々に格納するよう構成されることも可能である。
【００２９】
複数の情報伝達イベントに対する情報を格納する例では、各情報伝達イベントは、メモ取得装置１０２により割り当てられた又はユーザにより指定された識別子によって区別される。この例では、ユーザは、特定の一群の捕捉された書き込み情報が関連付けられる情報伝達イベントを指定することができる。上述したように、特定の情報伝達イベントは非連続的な期間にわたることが可能である。例えば、第１の情報伝達イベントの後に、第２の情報伝達イベントが続き、その後に第１の情報伝達イベントが続き得る。例えば、あるユーザが第１の会議に出席し、その後に第２の会議に出席し、そして第１の会議に戻る。第１の会議の間にユーザによって取られたメモは、第１の情報伝達イベントに属するように指定され、第２の会議の間にユーザによって取られたメモは、第２の情報伝達イベントに属するように指定される。増やされるメモ書類は、各情報伝達イベントについて生成される。
【００３０】
メモ取得装置１０２が１つの情報伝達イベントについての情報を格納するよう構成されている例では、増加されるメモ書類が生成される最終時点以来ユーザにより取得される総てのメモは、１つの情報伝達イベントの一部として一部であるものと考えられる。増加されるメモ書類が生成された後に、以後のメモは新たな情報伝達イベントの一部であるものとされる。この例では、増加されるメモ書類は、メモ取得装置１０２により格納されたメモ情報について生成される。
【００３１】
本発明の教示によれば、情報伝達イベント中にメモをとる一方、ユーザは、情報伝達イベント中に捕捉される１種類以上の情報が、ユーザの書いたメモに統合されるべきことを指示することができる。ユーザは、ユーザのメモに統合される情報種別を示すために様々な異なる技術を利用し得る。
【００３２】
本発明の実施例によれば、ユーザは、特定の種別の情報がユーザのメモに統合されることを示すメモ書類に印を付けるためにマーキング装置を利用する。メモ取得装置１０２は、ユーザの手書きメモと共にその印に関連する情報を捕捉するように構成される。従って、メモ取得装置１０２により捕捉された手書き情報は、ユーザの手書きメモを表現する情報と、そのユーザによりなされた１以上の印を表す情報とを包含する。
【００３３】
メモ取得装置１０２は、ユーザの手書きメモ及びマーク情報を様々な形式で包含する捕捉された書き込み情報を格納する。本発明の実施例によれば、メモ取得装置１０２はＸＭＬ（拡張可能マーク付け言語）フォーマットで捕捉した情報を格納するよう構成される。
【００３４】
マークを利用することは、ユーザが、特手員お種別の捕捉情報がユーザの手書きメモに統合されることを示し得るようにするまさに１つの手法である。他の様々な技術も使用され得る。本発明の実施例によれば、情報伝達イベントの際に起こるイベント又は信号は、ユーザがユーザのメモに組み込もうとする、そのユーザにとって関心のある情報を識別するためにも使用される。そのイベント又は信号は、ユーザによる、又は他の何らかの機能要素（エンティティ）若しくは装置による契機によって行なわれ得る。例えば、ユーザは、カメラを利用して写真をとったり、又はメモを取得するために使用されるページに印刷されたバーコードをスキャンする等のことが可能である。イベント又は信号に関連する情報は、メモ取得装置１０２により又は情報捕捉装置１００によって与えられ及び格納される。
【００３５】
メモ取得装置１０２又はユーザにより使用されるマーキング装置でさえも、ユーザがイベント又は信号を生成することを可能にする。例えば、メモ取得装置１０２又はマーキング装置は、様々な種類の情報に対する１以上のボタンを備える。映像情報用のボタン、音声情報用のボタン、スライド情報用のボタン等が設けられ得る。メモを取る間に、ユーザはボタンを押し、そのボタンに対応する情報がユーザのメモに統合されるべきことを指示し得る。ボタン押下／選択を示す情報は、メモ取得装置１０２に格納され得る。格納された情報は、そのボタンに対応する情報種別と、そのボタンがユーザにより選択された近似的な時間とを識別する。ボタンが選択された時にそのユーザに使用されていたページを識別する情報も格納され、増加されるメモ書類を生成するために使用される。イベント又は信号の利用に関する更なる情報が以下に与えられる。
【００３６】
本発明の実施例によれば、メモ取得装置１０２は、ユーザのメモ及びそのユーザにより書かれた別の情報（例えば、マーク）を含む捕捉情報に時間情報を関連付けるよう構成される。その時間情報（又は、タイムスタンプ）は、そのユーザにより情報が書かれた時間を識別する。時間情報の緻密さ又は粒度（ｇｒａｎｕｌａｒｉｔｙ）は、メモ取得装置１０２の様々な実施例にて変わり得る。例えば、メモ取得装置１０２は、時間情報を、記載されたメモのあるまとまり又はチャンク（ｃｈｕｎｋ）、一群の行、一群の語、各ワード、記載された各ストローク等に関連付け得る。
【００３７】
捕捉された書き込み情報のタイムスタンプを可能にするために、メモ取得装置１０２は、一般に、その情報がユーザにより書かれた時を識別するために使用される内部クロックを含む。メモ取得装置１０２の内部クロックは、校正され、且つ情報捕捉装置１００のクロックに同期する。情報捕捉装置１００及びメモ取得装置１０２の同期は、本発明の教示により実行される処理を支援する。
【００３８】
本発明の実施例によれば、メモ取得装置１０２は、メモをとるのに使用される各ページを固有に識別する情報を格納するよう校正される。本発明の実施例によれば、メモ取得装置に使用される紙ページの各々は固有に見分けられる。メモ取得装置１０２が複数のユーザ識別可能な情報伝達イベントに対する情報を同時に格納することができる例では、そのページは情報伝達イベント各々について固有に区別され得る。
【００３９】
本願に関し、「ページ情報」なる語は、メモ書きに使用されるページを固有に識別するために使用される情報を言及することが意図される。本発明の実施例によれば、紙ページのためのページ情報は、その紙ページに印刷される情報から決定される。紙に印刷され及びページ情報に使用される情報は、ページ番号、バーコード、記号、ラベル等を包含し得る。ページ情報として使用される情報は、そのページがメモ書きに使用される前にそのページに事前に印刷されること、又はメモ書き中にユーザにより若しくはメモ取得装置１０２によりそのページに印刷されることが可能である。
【００４０】
メモ取得装置１０２は、そのページに印刷された情報を読み取るよう構成される。例えば、メモ取得装置１０２は、ページ番号、バーコード、ラベル、記号等を読み取るよう構成される。メモ取得装置１０２は、その紙ページに関するページ情報として紙ページから読み取った情報を利用する。或いは、メモ取得装置１０２は、紙ページ対するページ情報を導出するために読出情報を使用し得る。
【００４１】
ページに関するページ情報を判別するために様々な技術が使用され得る。本発明の実施例によれば、ユーザは、ページに関するページ情報を特定し得る。例えば、メモ取得装置１０２は、ユーザが、メモをとるためにそのユーザにより目下使用されているページに関するページ情報（例えば、ページ番号）を特定することを可能にする押しボタンを備える。様々な画像技術も使用され得る。例えば、紙ページの画像がスキャンされ、そのページを識別するために画像情報が使用され得る。ＩＢＭリサーチセンターのキム・ダブリュ・メイ（Ｋｉｍ  Ｗ．Ｍａｙ）によるＡＣＭ  ＳＩＧＣＨＩ２００１小論文“Ｃｏｎｄｕｃｔｉｖｅ  Ｉｎｋ  Ｂａｓｅｄ  Ｐａｇｅｓ  Ｄｅｔｅｃｔｉｏｎ  ｆｏｒ  Ｌｉｎｋｉｎｇ  Ｄｉｇｉｔａｌ  ａｎｄ  Ｐｈｙｓｉｃａｌ  Ｐａｇｅｓ”（本願の参考に供される）に記載されているような導電性インクは、ページを識別するためにも使用され得る。
【００４２】
本発明の実施例によれば、ページを識別するページ情報も、メモ取得装置１０２により捕捉された書き込み情報に関連付けられ、メモ取得装置１０２に格納される。例えば、本発明の実施例によれば、メモ取得装置１０２は、ページ情報を、メモ取得装置１０２により捕捉した手書き情報の各ストローク（又は、ワード、行、パラグラフ等）に関連付ける。従って、捕捉された手書き情報の各ストローク（又は、ワード、行、パラグラフ等）に関し、そのストロークに関連付けられるページ情報は、そのストロークがユーザによりなされたページを識別する。本発明の実施例によれば、ページ情報は、増やされるメモ書類を生成するために使用される。
【００４３】
本発明の実施例によれば、メモ取得装置１０２は、捕捉した手書き情報の、メモ書きに使用されたページ上の位置を識別する情報（位置情報）を判別することができる。位置情報は、メモ取得装置１０２により捕捉された手書き情報の各ストローク、ワード、行、パラグラフ等について決定される。例えば、位置情報は、メモ取得装置１０２により捕捉された各手書きストロークのページ上の場所を示す。その位置情報は、メモ取得装置１０２により捕捉された手書き情報と共に格納される。従って、メモ取得装置１０２により捕捉された書き込み情報の特定のチャンク（例えば、ストローク、ワード、行、パラグラフ、セクション等）に対する所与の位置情報に関し、ページ上の特定のチャンクの場所が識別され得る。更に、所与の特定のチャンクに対するページ情報に関し、そのチャンクが記載された特定の固有のページも判別され得る。
【００４４】
位置情報の粒度は、本発明の実施例により変化し得る。本発明の実施例によれば、メモを取るために使用される各ページは、複数のセクション（例えば、４象限）に分割され、捕捉された書き込まれた情報のチャンクに対する位置情報は、そのチャンクが位置するページのそのセクション（例えば、特定の４区分の１つ）を識別する。別の実施例では、位置情報は、水平（Ｘ）及び垂直（Ｙ）座標を用いて表現され得る。その粒度は、捕捉され書き込まれた情報のチャンクに対する位置情報が、そのページに関するページ情報と同一であるほど大きくなり得る。また、様々な別の技術が、そのメモに対する位置情報を指定するために使用され得る。
【００４５】
メモ取得装置１０２の例が、図２に記載され、以下に説明される。
【００４６】
図１Ａに戻って、データ処理システム１０４は、メモ取得装置１０２により捕捉され格納された情報に基づいて、及び情報捕捉装置１００により捕捉された情報に基づいて、印刷可能な増やされるメモ電子バージョンを生成する処理を実行するよう構成される。従って、増やされるメモ電子バージョンを生成するために、データ処理システム１０４は、メモ取得装置１０２及び情報捕捉装置１００により捕捉された情報にアクセスする。
【００４７】
データ処理システム１０４が情報捕捉装置１００からの情報にアクセスするために様々な技術が利用され得る。本発明の実施例によれば、情報捕捉装置１００は、通信リンクを介してデータ処理システム１０４に接続され、情報捕捉装置によって捕捉された情報は、その通信リンクを通じてデータ処理システム１０４に通知される。通信リンクは、ハーワイヤリンク、光リンク、衛星その他の無線通信リンク、ウエーブ伝播リンクその他の情報通信用の任意の手段を含む様々な種類のものであり得る。その通信リンクを介する情報の通信を支援するために、様々な通信プロトコルが使用される。これらの通信プロトコルは、ＴＣＰ／ＩＰ、ＨＴＴＰプロトコル、拡張可能マーク付け言語（ＸＭＬ）、無線アプリケーションプロトコル（ＷＡＰ）、工業規格委員会の開発によるプロトコル、カスタム化されたプロトコル等を含む。
【００４８】
また、情報捕捉装置１００は、ネットワークを通じてデータ補処理システム１０４に接続され、情報捕捉装置により捕捉された情報は、そのネットワークを通じてデータ処理装置１０４に通知される。そのネットワークは、ローカルエリアネットワーク（ＬＡＮ）、広域ネットワーク（ＷＡＮ）、無線ネットワーク、イントラネット、プライベート（私的）ネットワーク、パブリック（公的）ネットワーク、交換ネットワーク、インターネットその他適切な通信ネットワークであり得る。
【００４９】
また、情報捕捉装置１００は、フロッピディスクやＣＤ等のような記憶媒体に捕捉した情報を格納するよう構成され、その記憶媒体はデータ処理システム１０４に設けられ得る。別の実施例では、情報捕捉装置１００は、データ処理システム１０４がアクセス可能なメモリロケーションに、捕捉した情報を格納するよう構成される。例えば、情報捕捉装置は、捕捉した情報及び関連する情報（例えば、関連付けられる時間情報）を、データ処理システム１０４がアクセス可能な中央データベースに格納する。
【００５０】
データ処理システム１０４は、様々な技術を利用してメモ取得装置１０２により格納された情報にアクセスする。メモ取得装置１０２は、通信リンク又はネットワークを介してデータ処理システム１０４に接続され、メモ取得装置１０２により格納された情報は、通信リンク又はネットワークを通じてデータ処理システム１０４に通知される。他の実施例では、メモ取得装置１０２は、フロッピディスクやＣＤ等のような記憶媒体に、捕捉した情報を格納するよう構成され、その記憶媒体はデータ処理システム１０４に設けられ得る。更なる他の実施例では、メモ取得装置１０２は、データ処理システム１０４がアクセス可能なメモリーロケーション（例えば、中央データベース）に、その情報を格納するよう構成される。また、メモ取得装置１０２は、データ処理システム１０４とドッキングし、データ処理システム１０４は、そのドッキングインターフェースによりメモ取得装置１０２により格納された情報にアクセスし得る。
【００５１】
データ処理システム１０４は、記載されたメモと、そのメモに統合されるようユーザにより要求された情報の表現とを統合する、メモの印刷可能な電子形式（増やされるメモ電子バージョン）を生成するよう構成される。本発明の実施例によれば、データ処理システム１０４は、そのユーザのメモに統合されるようユーザにより指示された情報に関する静的な視覚的表現物を生成する。増やされるメモの電子バージョンは、その静的な視覚的表現物とそのユーザの取得したメモの視覚的表現物との統合物を表現する。
【００５２】
データ処理システム１０４は、紙書類出力装置１０６に増やされるメモ電子バージョンを通知し、その装置は、増やされるメモの紙書類１０８を生成するために紙媒体に増やされるメモ電子バージョンを印刷することができる。増やされるメモ書類の内容は、１以上の情報捕捉装置１００により捕捉され且つユーザの書いたメモとユーザのメモの視覚的表現物とを統合するために識別された、情報部分の視覚的な表現物より成る。紙書類出力装置１０６の例は、増やされるメモ電子バージョンを紙媒体に印刷することの可能なプリンタその他の任意の装置を包含し得る。
【００５３】
図１Ｂに示される例では、紙書類出力装置１０６は、図１Ａに示されるデータ処理システム１０４の機能を実行することが可能である。この例では、情報捕捉装置１００及びメモ取得装置１０２により取得された情報は、書類出力装置に与えられる。データ処理システム１０４に情報を提供するための上述の様々な技術が、書類出力装置１０６に情報を与えるために使用される。本実施例では、書類出力装置１０６は、情報捕捉装置１００及びメモ取得装置１０２から受信した情報に基づいて増やされるメモ電子バージョンを生成するように、且つ生成した増やされるメモ電子バージョンに基づいて増やされるメモ書類を生成するように構築される。
【００５４】
図２は、本発明の実施例によるメモ取得装置１０２の概略ブロック図を示す。図２に示されるメモ取得装置１０２は、１以上のプロセッサ２０２、格納サブシステム２０４、タイマサブシステム２０６、通信サブシステム２０８、入力／出力（Ｉ／Ｏ）サブシステム２１０、１以上の位置捕捉装置（ＰＣＤ）２１２、及びページ情報リーダ（ＰＩＲ）２１４を含む。メモ取得装置１０２は、メモを取るのに使用される１以上の紙ページ２１８を受けるためのスペース２１６を備える。紙ページの各々は、その紙ページを固有に見分けるために使用される情報２２２を有する。その情報は、バーコードやページ番号のように紙に事前に印刷されることも、又はメモを取る者によって記載されることも可能である。図２に示される例では、ペン、鉛筆その他任意のマーキング装置２２０がメモを取るために使用される。図２に示されるメモ取得装置１０２は、本質的なものを例示するに過ぎず、本発明の範囲を限定すること意図しないことは、理解されるべきである。当業者は変形、修正及び代替物を認識するであろう。
【００５５】
プロセッサ２０２は、メモ取得装置１０２の動作を制御するよう構成される。プロセッサ２０２は、格納サブシステム２０４に格納されるプログラム及びコードモジュールを実行するよう構成される。１以上のプロセッサが備えられ得る。
【００５６】
格納サブシステム２０４は、プロセッサ２０２で実行されるプログラム及びコードモジュールを格納するよう構成される。また、格納サブシステム２０４は、メモ取得装置１０２によって生成され又はしゅとくされるデータ及び情報を格納する格納部又はレポジトリ（ｒｅｐｏｓｉｔｏｒｙ）として機能する。例えば、メモ取得装置１０２により捕捉された手書き情報や関連する時間情報、位置情報、及びページ情報は、格納サブシステム２０４に格納され得る。格納サブシステム２０４は、プログラム実行中に命令及びデータを格納するランダムアクセスメモリ（ＲＡＭ）、及び不変な命令を格納する読み取り専用メモリ（ＲＯＭ）を含む（揮発性及び不揮発性の）複数のメモリを含み得る。また、格納サブシステム２０４は、ハードディスクドライブ、関連する取り外し可能な格納媒体に付随するフロッピディスクドライブ、関連する取り外し可能な格納媒体に付随するＣＤ又はＤＶＤドライブ、光ドライブ、取り外し可能なカートリッジ媒体その他同様な格納媒体を包含し得る。
【００５７】
通信サブシステム２０８は、メモ取得装置１０２からの及びそこへの情報通信を支援するよう構成される。本発明の実施例によれば、通信サブシステム２０８は、メモ取得装置１０２によって格納された情報を、図１Ａに示されるデータ処理システム１０４や図１Ｂに示される紙書類出力装置１０８のような別の装置やコンピュータシステムに通知するインターフェースを与える。通信サブシステム２０８は、ドッキング部のような通信インターフェース、無線通信インターフェース、有線通信インターフェース、及びその他の情報の通信を支援するものを与える。
【００５８】
Ｉ／Ｏサブシステム２１０は、メモ取得装置１０２のユーザが、メモ取得装置１０２に情報を入力する又はそれに情報を与えることを可能にする。メモ取得装置１０２は、Ｉ／Ｏサブシステム２１０を用いて情報を出力する。
【００５９】
上述したように、ペン又は鉛筆その他のマーキング装置２２０は、メモを取るために使用される。本発明の実施例によれば、書き込まれた情報の捕捉を支援するために、マーキング装置２２０は、マーキング装置２２０が紙２１８に記載するために使用される場合に、超音波信号を送信するよう構築される超音波送信機を含む。一実施例では、超音波送信機は、ペン先に設けられ、そのペン先が紙に対して押圧される場合はいつでも超音波信号を送信するよう構成される。
【００６０】
位置捕捉装置（ＰＣＤ）２１２は、マーキング装置２２０を用いてユーザによって紙２１８に書かれた情報に対する位置情報を捕捉するよう構成される。また、ある実施例では、位置捕捉装置２１２も、ユーザによって紙２１８に書かれた情報を捕捉するよう構成される。マーキング装置２２０が超音波送信機を有する例では、位置捕捉装置２１２は超音波受信機を含み、その超音波受信機は、マーキング装置が紙に記載するために使用される場合に、マーキング装置２２０によって発せられた超音波信号を拾うように構成される。音速のような要因に基づいて及び三角法を用いて、位置捕捉装置２１２は、ペンの位置即ち紙ページ２１８に記載されたストロークの位置を判別するよう構成される。位置捕捉装置２１２により判別された位置情報は、メモ取得装置１０２により捕捉され且つ格納サブシステム２０４にて格納された手書き情報に関連付けられる。
【００６１】
上述したように、本発明の実施例によれば、位置捕捉装置２０２は、紙２１８上に書かれた情報を捕捉するように構成される。例えば、位置捕捉装置２１２は、マーキング装置２２０を用いてユーザによって書かれたメモを捕捉するよう構成される。この例では、マーキング装置２２０の位置及び動きは、位置捕捉装置２１２によって捕捉され、ユーザにより書かれたメモを識別するために使用される。
【００６２】
ユーザにより紙２１８に記載された情報を捕捉するために、いくつかの他の技術が使用され得る。一実施例では、メモ取得装置１０２のスペース２１６は、スペース２１６に設けられた紙ページ２１８にユーザが書いたメモを捕捉することの可能な特殊な表面（例えば、タッチスクリーン面）を有する。別の実施例では、メモ取得装置１０２は、ユーザが紙ページに書いた情報を走査する又は読み取るスキャニング手段又は読み取り手段を与える。様々な他の手法が使用され得る。
【００６３】
タイマーサブシステム２０６は、メモ取得装置１０２によって捕捉された情報にタイムスタンプを与えるために使用される時間情報を与えるよう構成される。タイマーサブシステム２０６は、本発明の教示による増やされるメモ書類の生成を支援するために、校正され、他の情報捕捉装置１００のタイマと同期が取られる。時間情報は、捕捉したメモ情報に関連付けられ且つ格納サブシステム２０４に格納される。
【００６４】
スペース２１６に設けられた紙ページ２１８に関し、ページ情報リーダ２１４は、そのページを固有に識別するために使用される紙ページからの情報２２２を読み取るよう校正される。上述したように、情報２２２は、ページ番号、バーコード、記号等を包含し得る。ページ情報リーダ２１４により読み取った情報は、紙ページについてのページ情報を判別するために使用される。そのページに関して判別されたページ情報は、捕捉され記載される情報に関連付けられ、格納サブシステム２０４に格納される。
【００６５】
メモ取得装置１０２は、図２に示される例より多くの又は少ない要素を備える様々な形式のものであり得る。メモ取得装置１０２の例は、日本のリコーコーポレーション（登録商標）により製造されるディーパッド（ｄＰａｄ）、Ａｎｏｔｏ（登録商標）コーポレーションにより製造されるＡｎｏｔｏ（登録商標）ペン、及びセイコーインスツルメンツＵＳＡインコーポレーションにより製造されるインクリンク（登録商標）手書きシステムを含む。
【００６６】
上述したように、本発明の教示によれば、情報伝達イベント中にメモを取りながら、ユーザは、そのユーザがユーザのメモに統合しようとする、伝達イベント中に捕捉される１以上の情報を指定することが可能である。ユーザが、そのユーザのメモに統合される情報を指定することを可能にする様々な技術が与えられる。
【００６７】
本発明の実施例によれば、ユーザは、特定の種類の捕捉情報がユーザのメモに統合されることを示すために、ユーザはメモ用紙にマークを付け得る。また、そのマークは、特定の種類の情報が統合されるメモの場所を識別する。ユーザは、そのマークを付けるためにマーキング装置（例えば、ペン、鉛筆等）を使用する。
【００６８】
一実施例によれば、マーク（印）自体が、ユーザのメモに統合されるべき特定の種類の情報を識別する。本実施例では、特殊な予め決められたキャラクタ、文字、記号、図解等又はそれらの組合せが、マークを記すために使用される。ユーザがユーザのメモに統合しようとする情報種別は、そのマークの身元から判別される。例えば、特殊な記号（例えば、円内の「Ｖ」）は映像情報を示すための印として規定され、第２記号（例えば、円内の「Ａ」）は音声情報を示すための印として規定され、第３記号（例えば、円内の「Ｗ」）はホワイトボード情報を示すための印として規定され、第４記号（例えば、円内の「Ｔ」）は画像情報を示すための印として使用される、等である。従って、この例では、印の身元は情報の種別を区別する。本発明の教示によれば、様々な種類の印が使用され得る。本実施例では、それらのマークは、メモを取るのに使用される紙のどこにでも配置され得る。
【００６９】
上述したように、メモ取得装置１０２は、マークを見分ける情報を含む手書き情報を捕捉するように構成される。メモ取得装置１０２は、印を表す特殊な記号やキャラクタ等の出現を見出すために捕捉され記載された情報を分解することで、捕捉した情報から印を見分ける。また、メモ取得装置１０２は、（上述したように）捕捉され記載されたメモについての時間情報、ページ情報、及び位置情報を決定及び格納するように構成される。従って、各マークについて、メモ取得装置１０２は、その特殊な印が付された時間を示す時間情報、その印が付されたページを示すページ情報、及びそのマークのページ中の場所を示す位置情報を判別する。以下に説明されるように、印に関連付けられる時間、位置及びページ情報は、増やされるメモの電子バージョンを生成するために使用される。
【００７０】
本発明の別の実施例によれば、あるページ上の印の位置は、そのユーザがユーザの書いたメモに統合しようとする特定の種類の捕捉情報を示すために使用される。この実施例では、事前に定められた特別な又は予約された領域が、メモを取るのに使用される各ページに事前に印刷される。特別な領域の各々は、情報伝達イベント中に情報捕捉装置１００により捕捉された特定の種類の情報に対応する。例えば、第１群の１以上の特別な領域は映像情報に対応するページに事前に印刷され、第２群の１以上の特別な領域は音声情報に対応するページに事前に印刷され、第３群の１以上の特別な領域は、画像情報に対応するページに事前に印刷され、第４群の１以上の特別な領域はホワイトボード情報に対応するページに事前に印刷され、第５群の１以上の特別な領域はスライド情報に対応するページに事前に印刷される、等である。本実施例では、メモをとりながら、ユーザは、ユーザによりマークされた特別な領域に対応する種別の情報が、ユーザのメモに組み込まれるべきことを示すために、そのページの特定の特別な領域に印をつけることができる。従って、本実施例では、メモを取るのに使用されるページ上の印の位置は、ユーザにとって関心があり、そのユーザがメモに統合しようとする情報の種別を識別する。本実施例では、その印の身元は重要ではない‐‐‐任意の種別のマークが使用され得る。
【００７１】
上述したように、メモ取得装置１０２は、ユーザによって書かれた印を含む捕捉され書き込まれた情報についての位置情報を捕捉及び格納するよう構成される。ページ上の特別の領域の場所を知ることで、捕捉され書き込まれた情報に関連する位置情報に基づいて、メモ取得装置１０２は、そのページで１以上の特別な領域内で付された１以上の印の出現を判別することが可能である。印に関連する時間情報に基づいて、メモ取得装置１０２は、その印がその特別な領域に付された時間を判別することができる。印に関連付けられたページ情報は、その印が付されたページを識別する。ある印に関連付けられる時間、場所及びページ情報は、増やされるメモの電子バージョンを生成するために使用される。
【００７２】
ページ上の特別な領域の場所を識別する情報を、メモ取得装置１０２に与える様々な手法が存在する。本発明の実施例によれば、メモをとるのに使用されるページのテンプレートが、メモ取得装置１０２に設けられ得る。テンプレートは、ページ上の特別な領域の場所を識別する。特別な領域の各々について、テンプレート情報は、その特別な領域に対応する情報種別も識別する。メモ取得装置１０２は、ページ上の特別な領域の場所を識別するため及びその特別な領域に対応する情報種別を判別するために、テンプレート情報を利用する。
【００７３】
いくつかの実施例では、テンプレート情報は、メモ取得装置１０２の代わりにデータ処理装置１０４（又は書類出力装置１０６）に与えられる。本実施例では、データ処理システム１０４（又は書類出力装置１０６）は、メモ取得装置１０２により捕捉されたメモが、テンプレート情報によって規定されるような特別の領域中で付された印を包含するか否かを判別するためにテンプレート情報を利用する。また、データ処理システム１０４は、特別の領域で付されたマーク各々に対応する情報種別を識別するためにテンプレート情報を使用する。
【００７４】
特殊なマーク（例えば、特別な記号等）及びページの特別な領域でなされる複数のマークの組み合わせは、本発明の実施例にて、ユーザがユーザのメモに統合しようとする情報を識別するために使用され得ることは、理解されるべきである。
【００７５】
図３は、本発明の実施例によるメモをとるのに使用され得る紙ページ３００の例を示す。ページ３００は、複数の特別な領域３０２，３０４，３０６，３０８より成り、それらはユーザのメモに組み込まれる特定の種別の情報を示すためにユーザにより使用され得る。図３に示されるページ３００は、本発明の教示によるメモをとるのに使用される用紙の例を単に示すに過ぎず、特許請求の範囲に示される本発明の範囲を限定することを意図しないことが、理解されるべきである。当業者は他の変形、修正及び代替物を認識するであろう。
【００７６】
図３に示されるように、複数の特別な領域がページ３００に事前に印刷されている。また、ページ３００は、ユーザがメモ書きを行い得るスペース３１２を含む。領域３０２は映像情報に対応する。従って、ユーザ（メモ取得者）は、そのユーザが捕捉される映像情報に関心のあることを示す領域３０２にマーク（例えば、チェック印（ｔｉｃｋ  ｍａｒｋ）又は任意の他のマーク）を付することが可能である。領域３０４は音声情報に対応する。メモをとるユーザは、そのユーザが捕捉される音声情報に関心のあることを示す領域３０４に印を付することが可能である。領域３０６はホワイトボード情報に対応する。メモをとるユーザは、そのユーザが捕捉されるホワイトボード情報に関心のあることを示す領域３０６に印を付することが可能である。領域３０８はスライド情報に対応する。メモをとるユーザは、そのユーザが捕捉されるスライド情報に関心のあることを示す領域３０８に印を付することが可能である。
【００７７】
また、情報伝達イベントの間に捕捉される他の種別の情報に対応する付加的な特別な領域は、本発明の別の実施例にて包含され得る。また、特別な領域の配置は、本発明の別の実施例では変わり得る。ページ３００を固有に識別するために使用される情報３１０（例えば、ページ番号、バーコード等）もページ３００に印刷される。図３に示される特別な領域の配置を表すテンプレートは、メモ取得装置１０２に及び／又はデータ処理システム１０４に与えられ、それらが、特別な領域に何らかのマークが付されているか否かを判別する及びそのマークに対応する情報種別を判別する。
【００７８】
上述の例では、マーク（例えば、特殊な記号、キャラクタ等）の身元又はページの特別な領域内のマークの場所は、そのユーザがユーザのメモに組み込もうとする情報種別を識別するために使用される。別の実施例では、情報種別を識別する代りに、マークの身元又は場所が、関心のある情報を捕捉するために使用された情報捕捉装置のような情報源を識別するために使用される。この実施例では、特別なマーク又はページの特別な領域内に付されたマークは、特定の情報捕捉装置を識別し、且つその情報捕捉装置により捕捉された情報部分がユーザのメモに組み込まれるものであることを示す。この実施例では、メモ中に設けられた特別なマークは、特定の捕捉装置（例えば、カメラ、ビデオカメラ、マイクロフォン等）を識別する。特別な領域を有するページを利用する実施例では、特別な領域の各々は特定の捕捉装置に対応し、ユーザは、その捕捉装置に対応する特別な領域内にマークを付けることによって、特定の捕捉装置を区別する。
【００７９】
例えば、図４は、本発明の実施例によりメモを取るために使用され得る紙ページ又は用紙４００の例を示す。ページ４００は、捕捉装置に対応する複数の特別な領域４０２，４０４，４０６，４０８より成る。図４に示されるページ４００は、本発明の教示によりメモを取るために使用される用紙を単に例示するに過ぎず、特許請求の範囲に記載される本発明の範囲を限定することを意図するものでないことが、理解されるべきである。当業者は別の変形、修正及び代替物を認識するであろう。
【００８０】
領域４０２は、ビデオカメラに対応する。従って、ユーザ（メモを取る者）は、そのユーザがビデオカメラにより捕捉される情報に関心を有することを示すために、領域４０２内にマーク（例えば、チェック印、又は他の任意の印）を付けることが可能である。領域４０４はマイクロフォンに対応する。メモを取るユーザは、そのユーザがマイクロフォンで捕捉される音声情報に関心のあることを示すために、領域４０４にマークを付けることが可能である。領域４０６は、ホワイトボードの前に設けられたカメラに対応し、ホワイトボード情報を捕捉するために使用される。メモを取るユーザは、ユーザがそのカメラによって捕捉されるホワイトボード情報に関心のあることを示すために、領域４０６内にマークを付けることが可能である。領域４０８はスライド情報を捕捉するために使用されるカメラに対応する。メモを取るユーザは、ユーザがそのカメラで捕捉されるスライドの画像に関心のあることを示すために、領域４０８にマークを付けることが可能である。
【００８１】
別種の捕捉装置に対応する付加的な特別な領域もページ４００に設けられ得る。また、特別な領域の配置は、本発明の別の実施例では異なり得る。ページ４００を固有に識別するために使用される情報４１０（例えば、ページ番号、バーコード等）もページ４００に印刷される。図４に示される特別な領域の配列を表すテンプレートは、メモ取得装置１０２に及び／又はデータ処理装置１０４に設けられ、それらが、その特別な領域内に何らかのマークが付されているか否かを判別すること及び各マークに対応する捕捉装置を判別することを可能にする。
【００８２】
本発明の教示により、情報種別を識別するマーク及び特定の捕捉装置や情報源を識別するマークの組合せが使用され得ることは、理解されるべきである。
【００８３】
図５Ａ，５Ｂは、本発明の実施例による増やされるメモ書類を生成する方法を示す簡略化された上位概念的フローチャート５００を示す。本方法は、データ処理システム１０４により実行されるソフトウエアモジュールよって、データ処理システム１０４のハードウエアモジュールによって、又はそれらの組合せによって実行される。別の実施例（例えば、図１Ｂに示される例）では、図５Ａ，５Ｂに示される方法は、書類出力装置１０６により実行されるソフトウエアモジュールによって、書類出力装置１０６のハードウエアモジュールによって、又はそれらの組合せによって実行される。別の実施例では、その処理は、書類出力装置１０６に関連するデータ処理システム１０４により実行される。以下の説明は、処理がデータ処理システム１０４により実行されることを想定している。しかしながら、このことは、特許請求の範囲に記載される本発明の範囲を制限することを意図しない。図５に示されるフローチャート５００は、本発明を利用する例を単に示すに過ぎず、特許請求の範囲に記載されるような本発明の範囲を限定するものではない。当業者は変形、修正及び代替物を認識するであろう。
【００８４】
図５Ａに示されるように、データ処理システム１０４が、増やされるメモ書類を生成するために信号を受信すると、処理が開始される（ステップ５０２）。その信号は、データ処理システム１０４によって与えられるユーザインターフェース（例えば、ユーザインターフェーススクリーン、入力ボタン等）を通じて受信される。メモ取得装置１０２が複数の情報伝達イベントについて同時に情報を格納することができる本発明の実施例では、ステップ５０２で受信した信号は、増やされるメモ書類が生成されるべき特定の情報伝達イベントを識別する。また、ステップ５０２で受信した信号は、増やされるメモ書類が生成されるところのメモを取るために使用されるメモ取得装置１０２をも識別する。
【００８５】
その信号を受信すると、データ処理システム１０４は、メモ取得装置１０２によって捕捉された情報にアクセスし、そのメモ取得装置は、増やされるメモ書類の生成が要求されるところのメモをとるために使用されるものである（ステップ５０４）。上述したように、データ処理システム１０４は、通信リンクによるもの、ネットワークによるもの、メモ取得装置１０２がデータ処理装置１０４にドッキングされるならば、情報が格納される中央データベースからドッキングインターフェースを通じるものを含むいくつもの様々な手法でメモ取得装置１０２からの情報にアクセスする。ステップ５０４でアクセスされる情報は、書き込まれた情報、及びメモ取得装置１０２により捕捉された他の関連情報を包含する。書き込み情報は、情報伝達イベント中にユーザにより取られたメモ及び他のメモを含む。書き込み情報は、情報捕捉装置により捕捉される情報がそのユーザのメモに組み込まれるべきことを示すために、情報伝達イベント中にユーザにより付された１以上のマークを包含する。また、ステップ５０４でアクセスされる情報は、捕捉され書き込まれた情報に関連付けられる時間情報、ページ情報及び（利用可能ならば）位置情報を含み得る。本発明の実施例によれば、メモ取得装置１０２により捕捉された書き込み情報、関連する時間、ページ及び位置情報は、ＸＭＬ形式で表現される。
【００８６】
データ処理システム１０４は、特定の種別の情報がメモに組み込まれるべきことを示す、捕捉され書き込まれた情報内の１以上のマークの出現を識別するために、ステップ５０４でアクセスされた情報を処理する（ステップ５０６）。上述したように、特定の種別の情報がユーザのメモに統合されることを示すために、様々な異なる技術が使用され得る。例えば、特別なマークが使用されるならば、ステップ５０６にて、データ処理システム１０４は、その特別なマークの出現を見分けるために、メモ取得装置１０２により捕捉されステップ５０４でアクセスされた書き込み情報を分析する。ページ中の特別な領域が、特定の種別の情報を示すために使用されるならば、ステップ５０６にて、データ処理システム１０４は、その特別な領域のレイアウトを識別する情報（例えば、そのページに関するテンプレート情報）にアクセスし、そのテンプレート情報及びステップ５０４でアクセスした書き込み情報に関連する位置情報に基づいて、１以上の特別な領域に付された１以上のマークを識別する。
【００８７】
ステップ５０６で識別された各マークについて、データ処理システム１０４は、そのマークに関連する時間情報、ページ情報及び（利用可能ならば）位置情報を判別する（ステップ５０８）。時間情報は、そのマークがユーザによってそのメモに付された近似的な時間を示す。ページ情報は、そのマークが付されたページを識別する。位置情報は、それが与えられるならば、マークが付されたページ中の場所を識別する。本発明の実施例によれば、そのマークに関する時間情報、ページ情報及び位置情報は、ステップ５０４でアクセスされた情報から判別される。
【００８８】
ステップ５０６で識別されたマーク各々について、データ処理システム１０４は、そのマークに対応する情報種別を判別する（ステップ５１０）。特別なマークが使用されるならば、情報の種別はそのマーク自身の身元から判別され得る。例えば、円内の「Ｖ」が映像情報を示し、円内の「Ａ」が音声情報を示し、円内の「Ｉ」が画像情報を示し、円内の「Ｗ」がホワイトボード情報を示すこと等が可能である。情報の種別がページ中のマークの位置によって識別されるならば（例えば、それらに関して設定された特別な領域を有するページを利用する実施例）、そのページに関するテンプレート情報と共にマークに関連する位置情報は、そのマークに対応する情報の種別を判別するために使用される。
【００８９】
ステップ５０６で識別されたマークの各々について、データ処理システム１０４はそのマークに関する情報捕捉装置１００を識別する（ステップ５１２）。あるマークに関する情報捕捉装置の識別は、ステップ５１０におけるマークについて判別される情報種別に依存する。本発明の実施例によれば、ステップ５１０で特定のマークについて半別された特定の情報種別に関し、データ処理装置１０４は、そのマークが付された情報伝達イベント中にその特定の種別の情報を捕捉した一群の情報捕捉装置１００を判別する。データ処理装置１０４は、一群の情報捕捉装置から特定の情報捕捉装置を選択する。特定の情報捕捉装置の選択は、その装置によって捕捉される情報の品質、情報の完全性等のような様々な要因に依存し得る。例えば、本発明の実施例によれば、高品質の情報を捕捉した情報捕捉装置がステップ５１２で選択され得る。また、情報捕捉装置はデフォルト選択としても指定され得る。一群の情報捕捉装置が１つの情報捕捉装置しか含まないならば、その情報捕捉装置はステップ５１２で選択される。
【００９０】
例えば、マークに対応する特定の情報種別がステップ５１０にて音声情報であると識別されるならば、データ処理システム１０４は、マークが付された情報伝達イベントの際に音声情報を取得するために使用された一群の音声情報捕捉装置（例えば、１以上のマイクロフォン）を判別する。データ処理システム１０４は、ステップ５１２にて、一群の音声情報捕捉装置から、そのマークに関する１つの音声捕捉装置を選択する。別の実施例では、１以上の情報捕捉装置がステップ５１２にて特定のマークについて選択され得ることが、理解されるべきである。
【００９１】
上述したように、本発明のある実施例では、ステップ５０６で識別されたマークは、情報捕捉装置を具体的に識別し得る。そのような例では、ステップ５１２にて、ステップ５０６で識別された各マークについて、データ処理システム１０４は、そのマークに対応する情報捕捉装置を識別する。この例では、ステップ５１０は実行されない。
【００９２】
ステップ５０６で識別されたマーク各々について、データ処理システム１０４は、ステップ５１２にて、そのマークに関して判別された上捕捉装置によって捕捉された情報部分を識別する。各マークに関する情報部分は、そのマークに関連する時間情報に基づいて、及びステップ５１２にてそのマークについて判別された情報捕捉装置により捕捉された情報に関連付けられる時間情報に基づいて識別される。上述したように、各情報捕捉装置１００は、情報の捕捉に関する近似的な時間を示す時間情報を捕捉された情報に関連付けるよう構成される。この情報はステップ５１４における部分の選択に使用される。
【００９３】
マークに関して識別される情報部分は、ステップ５１０で判別されるマークに対応する情報の種別や、ステップ５１２でマークに関して識別される情報捕捉装置によって捕捉される情報の種別に依存して異なり得る。以下の例は、情報捕捉装置１００のクロックがメモ取得装置１０２のクロックに同期していることを想定している。
【００９４】
情報種別が映像情報であるならば、ステップ５１４で判別される部分は、ステップ５１２で識別された映像捕捉装置により捕捉された映像情報から選択され、且つそのマークに関連する時間情報と同一の又は近似するタイムスタンプを有する１以上のキーフレームに対応する。情報種別が画像情報ならば、ステップ５１４で判別される部分は、ステップ５１２で識別された画像捕捉装置により捕捉された画像から選択され、且つそのマークの時間と同一の又は近似する時間を有する画像に対応する。そのマークに関する時間と同じタイムスタンプを有する画像が無ければ、そのマークの時間に対して時間的に接近している（過去の又は将来的な）画像がステップ５１４でその部分として選択される。マークに対応する情報種別が音声情報であるならば、データ処理システム１０４は、ステップ５１２で識別された音声捕捉装置によって捕捉された音声情報から音声情報部分を選択する。本発明の実施例によれば、マークの時間からの過去の音声情報部分に関するユーザ設定可能な固定長（例えば、１０ｍｓの音声情報）が、捕捉された音声情報から選択される。いくつかの実施例では、そのマークに関する将来的な音声情報部分も、その過去から選択される部分と共に選択され得る。別の実施例では、選択された音声部分は、そのマークの時点で話された特定の文及びその文の近辺で話された１以上の別の文章を包含し得る。当業者に既知の他の様々な発見法が、ステップ５１４で各マークについて捕捉される情報の部分を選択するために使用され得ることが、理解されるべきである。
【００９５】
ステップ５０６で識別されるマーク各々について、データ処理システム１０４は、ステップ５１４にてそのマークに関して識別される情報部分の静的な視覚的表現物を生成する（ステップ５１６）。情報部分に対する静的な視覚的表現は、用紙に印刷することの可能な、ステップ５１４で選択される部分内の情報の表現である。
【００９６】
情報の部分に関する静的な視覚的表現は、情報の種別に依存する。例えば、その部分が音声情報ならば、ステップ５１４で選択された音声情報部分は翻音（ｔｒａｎｓｃｒｉｂｅ）され、結果の翻音物は音声情報部分に関する静的な視覚的な表現を表す。その翻音は、音声情報分で話されている言葉（ワード）を識別し、可能ならば、当業者に既知の音声処理技術を利用して音声情報部分から判別され得る、その情報の話者及びその他の特徴を識別する。本発明の実施例によれば、ステップ５１４で選択された音声情報部分はある形式から別のものに変換され得る。例えば、その部分の音声情報は、その部分で話されている第１言語から第２言語に変換され、静的な視覚的表現が第２言語における翻訳を表現し得る。例えば、音声部分について静的な視覚的表現を生成する部分として、ステップ５１４で選択された音声情報部分が日本語で話される情報より成る場合に、その日本語の情報が英語に翻訳され、英語の翻音内容がその音声情報部分に対する静的な視覚的表現を表し得る。
【００９７】
ステップ５１４で選択された情報部分が、映像情報から抽出された映像情報又は一群の映像キーフレームであるならば、１以上のキーフレームがステップ５１６で選択される。選択されたキーフレームは、紙に印刷されることの可能な適切なフォーマットに変換される。当業者に既知の様々な画像処理がキーフレームに実行され得る。変換され処理されたキーフレームは、映像情報部分に対応する静的な視覚的表現を表す。
【００９８】
情報部分が画像情報（又は、ホワイトボード情報、若しくはスライド情報）から選択された画像（例えば、スライドの画像、ホワイトボードの画像等）であるならば、その画像は、用紙に印刷されることの可能な適切なフォーマットに変換される。当業者に既知の様々な画像処理がその画像情報に実行される。変換され処理された画像は、画像（又はスライド、若しくはホワイトボード）情報部分に対応する静的な視覚的表現を表す。
【００９９】
データ処理システム１０４は、用紙に印刷することの可能な増やされるメモの電子バージョンを生成する（ステップ５１８）。増やされるメモの電子バージョンは、ステップ５１６で生成された静的な視覚的表現と共にユーザによって書かれたメモの視覚的な表現より成る。増やされるメモの電子バージョンは、ユーザの書いたメモと、そのメモに組み込まれるようにユーザによって区別された情報の静的な視覚的な表現とを統合する。増やされるメモの電子バージョンには様々な異なるページフォーマットが使用され得る。本発明の実施例によれば、増やされるメモの電子バージョンに使用されるフォーマットは、メモをとるためにユーザにより使用されたフォーマットに類似する。
【０１００】
増やされるメモの電子バージョンは、紙に印刷されることの可能な画像ファイルやＰＤＦファイル等のような様々なフォーマットで生成され得る。また、他の実施例では、増やされるメモの電子バージョンは、紙に印刷されることの可能なウェブページ等の形式で生成され得る。ある実施例では（例えば、ウェブページの例では）、ユーザは、増やされるメモの電子バージョンとやりとりをすることが許容される。例えば、ユーザのメモに統合される様々な情報部分に対するリンクより成るウェブページが生成され得る。ユーザは、そのリンクに対応する捕捉された情報部分にアクセスするためのリンクを選択し得る。本発明の実施例では、ステップ５１８で実行される処理の部分として、ステップ５０６で識別されるマーク各々について、データ処理システム１０４は、ステップ５１６で生成された静的な視覚的な表現の各々を設けるために、ユーザのメモの視覚的表示内の場所を判別する。ユーザのメモの視覚的な表現における静的な視覚的表現の場所を判別するために、様々な異なる技術が使用され得ることが、理解されるべきである。静的な視覚的な表現を配置する位置の粒度は、本発明の別の実施例では異なり得る。ある実施例では、メモ内場所情報も、マークに対する静的な視覚的な表現を配置するページを決定するために使用される。
【０１０１】
本発明の実施例によれば、配置の粒度は、ページレベルにおけるものであり、静的な視覚的表現に対応するマークの位置に基づく。この実施例では、各マークについて、データ処理システム１０４は、そのマークに対するページ情報を判別し、そのマークに対する静的な視覚的表現を配置する場所としてそのページを指定する。
【０１０２】
別の実施例では、マークに関連するページ及び位置情報は、そのマークに対する静的な視覚的表現の配置を判別するために使用される。この実施例では、マークに対する静的な視覚的な表現の場所は、そのマークに関連付けられるページ情報によって識別されるページ上における、そのマークに関連付けられる位置情報によって識別される場所内のものと判別される。静的な視覚的表現は、そのメモの視覚的な表現内のマークに重ねられ得る。
【０１０３】
また、増やされるメモの電子バージョンにおけるページの視覚的表現を配置する場所を決定するためにいくつかの他の発見的方法が使用され得る。例えば、視覚的表現は、時系列順に上から下の位置にページの余白（マージン）に沿って配置され得る。情報捕捉装置が捕捉される情報と共にメモ内位置情報を保存する実施例では、そのメモ内位置情報は、捕捉した情報について生成される静的な視覚的な表現の位置を判別するために使用され得る。
【０１０４】
静的な視覚的表現のサイズは、固定的であってもよいし、静的な視覚的表現を設けるのに利用可能なメモの視覚的表現内の場所のサイズに基づいて可変的であってもよい。例えば、静的な視覚的表現のサイズは、静的な視覚的表現を配置するためのメモページで利用可能な空白スペースを満たすように増やすことが可能である。また、静的な視覚的表現のサイズは、メモの利用可能なスペースにそれが適合するように減縮される（又は切り取られる）ことも可能である。
【０１０５】
また、本発明の実施例によれば、増やされるメモの電子バージョンは、増やされるメモの電子バージョンに含まれる１以上の静的な視覚的表現に対するインデックス情報を有する。静的な視覚的な表現に対するインデックス情報は、典型的には、対応する静的な視覚的な表現に近接する場所に設けられる。静的な視覚的な表現に対するインデックス情報は、電子的な捕捉された情報にユーザがアクセスすることを可能にし、その電子的な捕捉された情報から静的な視覚的な表現が生成される。インデックス情報は、捕捉された電子情報へのインデックス（指標）として使用されることが可能であり、静的な視覚的表現を生成するために使用された情報部分は、ステップ５１４でその捕捉された電子情報から選択される。本発明の実施例によれば、インデックス情報は、静的な視覚的表現が生成されるところの情報部分に関連するタイムスタンプを示すテキスト文字列より成る。また、バーコードが、インデックス情報を表現するために使用され得る。バーコードは、バーコードに対応する静的な視覚的表現に隣接して設けられる。記号等のような当業者に既知の様々な他の手法が、インデックス情報として使用され得る。
【０１０６】
ステップ５１８で生成された増やされるメモの電子バージョンは、増やされるメモの書類を生成するために１枚以上の用紙に印刷され得る（ステップ５２０）。ステップ５２０の一部として、データ処理システム１０４は、ステップ５１８で生成した増やされるメモの電子バージョンを書類出力装置に通知し、その書類出力装置は、増やされるメモの電子バージョンを１枚以上の用紙に印刷することで増やされるメモの書類を生成する。
【０１０７】
増やされるメモの書類の内容は、ユーザのメモに統合されるメモを取る一方、ユーザにより識別される情報の静的な視覚的表現と共にユーザによって書かれるメモの視覚的表現より成る。増やされるメモの書類は、ユーザの書いたメモを、そのメモに組み込まれるようにユーザにより区別された情報の静的な視覚的表現に統合する。
【０１０８】
また、本発明の実施例によれば、１以上の静的な視覚的な表現に関するインデックス情報は、増やされるメモの書類に印刷され得る。上述したように、静的な視覚的な表現に対するインデックス情報は、ユーザが電子的な捕捉情報にアクセスすることを可能にし、静的な視覚的表現はその電子的な捕捉情報から生成される。インデックス情報は、捕捉された電子情報へのインデックスとして使用されることが可能であり、静的な視覚的表現を生成するために使用された情報部分は、ステップ５１４にてその捕捉された電子情報から選択される。インデックス情報は様々な手法で組み込まれ得る。
【０１０９】
一実施例によれば、インデックス情報は、静的な視覚的表現を生成するために使用された情報部分に関連するタイムスタンプを示すテキスト文字列より成る。本実施例では、増やされるメモの書類のユーザは、静的な視覚的表現に対応する増やされるメモの書類に印刷されたインデックス時間情報を、捕捉した情報へアクセスするマルチメディアプレーヤ（又は任意の他の出力装置若しくはアプリケーション）に与えることで、静的な視覚的表現に対する電子情報にアクセスする。マルチメディアプレーヤは、ユーザにより与えられた時間から又はその近辺で捕捉情報の再生を開始する。例えば、静的な視覚的な表現が、捕捉した映像情報から抽出したキーフレームを表現していたならば、インデックス時間情報を入力することで、ユーザにより入力された時間からその映像の再生を開始することができる。
【０１１０】
別の実施例によれば、インデックス情報は、増やされるメモ書類上の対応する静的視覚的表現近辺に印刷されたバーコードによって表現され得る。本実施例では、増やされるメモの書類のユーザは、特定のバーコードをスキャンし、スキャンしたバーコードに対応する電子情報に出力装置を通じてアクセスすることができる。例えば、ユーザはユーザのＰＤＡに接続されたスキャナを利用してバーコードをスキャンし得る。スキャンしたバーコードに対応する電子情報（又はスキャンしたバーコードに対応する時間による電子情報）が、出力装置を通じてユーザに出力される。バーコードはタイムスタンプを識別し、そのタイムスタンプによって識別された時間から電子情報がユーザに再生される。また、バーコードは情報伝達イベントを識別する情報を包含し（例えば、バーコードはイベントＩＤを有し）、識別されたイベントに対する電子情報が出力される。また、バーコードは、情報の再生を制御するコードのような他の情報を有する。例えば、バーコードは、再生用に特定の捕捉された情報源を識別するコードを有する（例えば、スライドショーと対向して会議映像の再生を開始する命令を与えるコード）。
【０１１１】
図６Ａは、本発明の実施例によりユーザのメモに統合される情報を識別するための、ユーザのとったメモ及びユーザの付したマークを示す用紙６００の簡易な例である。図６Ａに示されるように、ユーザは、ペンや鉛筆のようなマーキング装置を利用してページ６００の一部（セクション）６０６にメモ書きを行なっている。ページ６００は、映像情報、音声情報、ホワイトボード情報及びスライド情報用の特別な領域６０４より成る。メモを取る一方、ユーザは、ページ６００の特別な領域６０４にマーク（チェック印）を付している。そのマークは、ユーザが、ユーザのメモに組み込もうとする情報を示す。図示されるように、ユーザは、音声情報を選択するためにマーク６０８を付し、スライド情報を選択するためにマーク６１０を付する。ページ番号の形式でページ識別子６０２も紙６００に印刷されている。
【０１１２】
図６Ｂは、図６Ａに示されるページ６００に関して本発明の実施例により生成された簡易化された増やされるメモの書類ページ６５０を示す。図６Ｂに示されるように、図６Ａに示されるページ６００の領域６０６にてユーザの取得したメモの視覚的な表現が、ページ６５０のセクション６５２に印刷されている。また、図６Ｂのページ６５０は、図６Ａのページ６００の特別な領域でユーザにより書かれたマークの各々についての静的な視覚的な表現を包含する。例えば、ページ６５０は、ページ６００のマーク６０８に対応する音声情報の翻音６５４と、ページ６００のマーク６１０に対応するスライド６５６とを含む。従って、図６Ｂにおけるページ６５０は、メモを取る間にユーザのメモに統合されるようにユーザによって示された情報と共にユーザの書いたメモを統合する。
【０１１３】
また、インデックス情報６５８は、静的な視覚的表現各々について印刷される。図６Ｂに示される例では、音声翻音に対するインデックス情報は、その翻音及びバーコードに対応するタイムスタンプを包含する。そのスライドに関するインデックス情報は、スライド番号及びバーコードを包含する。増やされるメモの処理ページ６５０のユーザは、静的な視覚的表現に対応する捕捉済み電子情報にアクセスするためにインデックス情報を使用する。インデックス情報は捕捉された情報へのインデックスを与える。
【０１１４】
以下、本発明の利用例を更に説明する。アン（Ａｎｎ）は、彼女の会社の最新の販売数に関するプレゼンテーションに出席するマーケティングマネジャであるものとする。プレゼンテーションの間に、彼女はメモ取得装置及びペンを用いて用紙にメモを書く。アンが彼女のメモの第３ページに到達すると、発表者は、最新の四半期についてのパワーポイントサマリーセールスチャート（パワーポイントによる合計販売図表）を示し、アンはそのチャートを彼女のメモに含めるようとする。アンはメモを取るために図６Ａに示されるレイアウトのページを利用するものとし、アンは、彼女が現在書いている場所の左側に位置する「スライド」の特別領域をチェックする。後に、アンが彼女のメモの第５ページに至ると、誰かが顧客表彰状を引用し、アンはそれを彼女のマーケティング文献に使用しようとする。正確な引用を取得するために、アンは、目下記載している場所の左側の「音声」の特別領域をチェックする。プレゼンテーションの終わりに、アンは彼女の目も取得装置をネットワーク化された書類出力装置（例えば、ネットワーク化されたプリンタ）にドッキングし、書類出力装置に設けられている「増やされるメモ書類の生成」ボタンを押す。これに応答して、書類出力装置は、アンのメモと、１以上の情報捕捉装置によってプレゼンテーション中に捕捉した情報とに基づいて、増やされるメモ書類を生成する。増やされるメモ書類の内容は、アンのメモの視覚的な表現と、アンがチェックした特別領域に対する視覚的表現とを有する。例えば、合計販売チャートのスライドの視覚的表現が増やされるメモ書類の第３ページに印刷される。アンが第５ページの「音声」特別領域をチェックした時間に先行する１０秒の間に捕捉された音声情報（関連する引用を含む）の音声からテキストへの変換結果は、増やされるメモ書類の第５ページに印刷される。また、バーコード形式のインデックス情報は、増やされるメモ書類内の視覚的な表現の近傍に印刷される。アンは、彼女のＰＤＡ又は他のコンピュータを利用して、捕捉した情報を出力するビューア（ｖｉｅｗｅｒ）をもたらすためにバーコードをスキャンすることができる。例えば、スライドの視覚的な表現の下で印刷されたバーコードをスキャンすることは、捕捉されたスライド情報にアクセスするために使用され得るビューアを起動する。増やされるメモ書類の５ページに印刷された音声情報の視覚的な表現の下部のバーコードをスキャンすることは、アンが彼女のメモの５ページ目で「音声」特別領域をチェックした時間（又はいくらか以前）からの捕捉済み音声情報の再生を可能にする。アンは、その時点から前進しながら又は後退しながら捕捉済み音声情報を閲覧することができる。また、本発明はいくつかの他の環境で使用され得ることが、理解されるべきである。
【０１１５】
図７Ａは、本発明の実施例によりユーザのメモに統合される情報を識別するために、ユーザによりとられたメモ及びユーザにより付されたマークを示す用紙７００の別の簡略化された例である。図７Ａに示されるように、ユーザは、ペンや鉛筆のようなマーキング装置を利用しながら、ブレンダローラル（Ｂｒｅｎｄａ  Ｌａｕｒｅｌ）により提供される講義の間にページ７００のセクション７０２にメモ書きを行なう。ページ７００は、映像情報、音声情報、ホワイトボード情報及びスライド情報に関する特別な領域を有する。それらの領域は、ページ７００の左側及び下側に沿って設けられる。メモを取る間に、ユーザは、ページ７００の特別領域にていくつかのマーク（例えば、チェック印）を付けている。チェック印各々は、ユーザのメモに統合されるべき情報種別（或いは、情報源）を区別する。ページ番号の形式でページ識別子７０４もページ７００に印刷される。
【０１１６】
図７Ｂは、図７Ａに示されるページ７００に関して本発明の実施例により生成された簡略化された増やされるメモ書類ページ７５０を示す。図７Ｂに示されるように、図７Ａに示されるページ７００の領域７０２内でユーザの取得したメモの視覚的表現が、ページ７５０のセクション７５２に印刷される。また、ページ７５０は、図７Ａにおけるページ７００の特別領域でユーザが記した各マークについての静的な視覚的表現を含む。映像情報を識別する特別領域内でマークされるページ７００上の各チェック印は、ユーザがそのチェック印をメモに付した時間と近似的に近い（又は同一の）タイムスタンプを有する捕捉された映像情報の部分から抽出されたキーフレームによって置換されている。キーフレームのタイムスタンプも印刷される。音声情報を識別するマークの各々は、そのマークに対応する捕捉された音声情報の部分のテキスト翻音（例えば、ユーザがマークを付した時間近辺の音声情報の翻音）で置換される。音声の翻音に関連するタイムスタンプも印刷される。従って、図７Ｂにおけるページ７５０は、ブレンダローレルの説明中にユーザが書いたメモと、その講義中にユーザのメモに組み込まれるようにユーザにより指定された情報とを統合する。
【０１１７】
また、バーコードは、ページ７５０に印刷される静的な視覚的な表現各々について印刷される。静的な視覚的な表現についてのバーコードは、静的な視覚的な表現に対応する捕捉された電子情報にアクセスするために、ユーザにより使用されることの可能なインデックス情報を表現する。例えば、ユーザは、キーフレームのその時間から映像情報を再生するために映像キーフレーム下部に印刷されたバーコードをスキャンする。ユーザは、音声の翻音に関連するタイムスタンプから音声情報を再生するために音声の翻音の下に印刷されたバーコードをスキャンする。
【０１１８】
また、静的な視覚的な表現に関連付けられ且つページ７５０に印刷されたタイムスタンプは、インデックス情報としても使用され得る。例えば、ユーザは、キーフレームに関連するタイムスタンプを、映像出力アプリケーション（例えば、メディアプレーヤ）又はキーフレームの時間から映像情報を再生するための装置に与える。ユーザは、音声の翻音に関連するタイムスタンプを、音声出力装置（例えば、メディアプレーヤ）又は音声の翻音に関連するタイムスタンプから音声情報を再生するための装置に与える。
【０１１９】
上述した実施例では、ユーザは、特定の種別の捕捉情報（又は捕捉装置源からの情報）が、メモを取る動作中にメモ書きに使用される紙に印（例えば、チェック印）を付けることで、ユーザのメモに統合されるべきことを示す。別の実施例では、情報伝達イベント中に起こるイベント又は信号も、ユーザがユーザのメモに組み込もうとする情報を識別するために使用される。これらのイベント又は信号は、ユーザにより又は何らかの他の機能余要素（エンティティ）又は装置により、トリガ（契機）が与えられる。各イベント又は信号は、ユーザのメモに組み込まれるべき特定種別の情報を識別する。或いは、イベント又は信号は、特定のソースからの情報（例えば、特定の捕捉装置）がユーザのメモに組み込まれるべきことを識別する。イベント又は信号が生じたことを示す情報は、そのイベントに対応する捕捉情報の部分を識別するために格納され使用される。また、イベント又は信号に関連する時間情報は、あるイベントについて選択された情報部分から生成された静的な視覚的表現が組み込まれるところのユーザのメモ中の場所を識別するために使用される。メモ内場所情報のような他の情報も各イベントについて格納される。上述したように、メモ内場所情報を判別する又は与えるために、様々な技術が使用され得る。メモ内場所情報は、あるイベントについて選択された情報部分から生成された静的な視覚的表現が組み込まれるところのユーザのメモ中の場所を識別するために使用される。
【０１２０】
イベント又は信号を制御する及び／又は起動することの可能な様々な手法が存在する。例えば、メモを取る者が、情報伝達イベント中に情報を捕捉するように構成される情報捕捉装置の動作を制御することができる実施例では、情報を捕捉する動作又はその情報捕捉装置を用いて情報の捕捉を開始する信号やイベントは、ユーザが、捕捉情報（例えば、イベントや信号に応答して捕捉される情報）をユーザのメモに組み込むことに関心があることを示す。捕捉の時間又はイベントや信号の時間は、捕捉された情報の静的な視覚的表現が組み込まれるところのユーザの書いたメモ内の場所を判別するために使用される。
【０１２１】
例えば、情報伝達イベントの際に、ユーザは、ホワイトボードの画像を捕捉するためにカメラを使用し得る。画像を捕捉するためにカメラをクリックする動作は、捕捉される画像がユーザのメモに統合されるべきことを示す。画像が取得された時間は、捕捉された画像が組み込まれるべきところのユーザの書いたメモ内の場所を判別するために使用される。
【０１２２】
別の実施例によれば、メモ取得装置１０２は、様々な種類の情報（又は様々な情報源）を選択するために１以上のユーザ選択可能なボタンを備える。例えば、映像情報用のボタン、音声情報用のボタン、スライド情報用のボタン等が設けられる。メモを取りながら、ユーザはボタンを押し、そのボタンに対応する情報がユーザのメモに統合されるべきことを示す。従って、ボタンの選択は、特定の種別の情報がユーザのメモに統合されるべきことを示すイベント又は信号にトリガを与える。ボタン押下／選択を区別する情報は、メモ取得装置１０２に格納される。格納された情報は、そのボタンに対応する情報の種別及びそのボタンがユーザにより選択された時の大凡の時間を識別する。ボタンが選択された時にユーザに使用されていたページを識別する情報も格納される。ボタン選択に関連する時間情報及びボタンがユーザにより選択された時のページを識別する情報は、組み込まれるべき捕捉情報の部分を判別するために、及び識別される情報部分に関する静的な視覚的表現が組み込まれるところのユーザのメモ中の場所を判別するために使用される。別の実施例では、ユーザ選択可能なボタンがマーキング装置にも設けられる（例えば、様々なユーザ選択可能なボタンを備えたペン）。
【０１２３】
他の実施例では、一群のバーコードが、メモを取るユーザに使用されるページに事前に印刷される。バーコード群中の各バーコードは、特定の種別の情報（又は特定のソース）に対応する。ユーザは、特定の種別の情報が、特定の種別の情報に対応する特定のバーコードをスキャンすることによって、ユーザのメモに組み込まれるべきことを示す。バーコードをスキャンすることは、ある特定の種類の情報がユーザのメモに統合されることを示すイベントを表現する又はトリガを与える。スキャンされたバーコードやスキャンの時間等に対応する情報種別のようなイベントに関連する情報は、メモ取得装置１０２により格納される。この情報は、そのスキャンに対応する情報部分、及び／又は選択された情報部分について生成された静的な視覚的表現の場所を判別するために使用される。バーコードをスキャンする様々な異なる装置が使用され得る。本発明の実施例によれば、スキャンする装置はマーキング装置に組み込まれ得る。
【０１２４】
図８は、本発明の実施例による増やされる書類を生成する方法を示す簡略化された上位概念的フローチャート８００を示し、捕捉される１以上の部分がメモに組み込まれるべきことを示すために、イベント又は信号が使用される。本発明の実施例によれば、図８に示される方法は、データ処理システム１０４によって実行されるソフトウエアモジュールによって、データ処理システム１０４のハードウエアモジュールによって、又はそれらの組合せによって実行される。別の実施例では（例えば、図１Ｂに示される例では）、本方法は、書類出力装置１０６により実行されるソフトウエアモジュールによって、書類出力装置１０６のハードウエアモジュールによって、又はそれらの組合せによって実行される。別の実施例では、書類出力装置１０６に関連してデータ処理システム１０４によって処理が行なわれる。以下の説明は、その処理がデータ処理システム１０４によって実行されることを想定している。しかしながら、このことは特許請求の範囲に記載された本発明の範囲を限定することを意図しない。図８に示されるフローチャート８００は、本発明を組み込む実施例を単に示すに過ぎず、特許請求の範囲に記載された本発明の範囲を限定するものではない。当業者は変形、修正及び代替物を認識するであろう。
【０１２５】
図８に示されるように、データ処理システム１０４が、増やされるメモ書類を生成するための信号を受信すると、処理が開始される（ステップ８０２）。その信号は、データ処理システム１０４により与えられたユーザインターフェース（例えば、ユーザインターフェーススクリーン、入力ボタン等）を通じて受信される。メモ取得装置１０２が複数の情報伝達イベントについて同時に情報を格納することができるような本発明の実施例では、ステップ８０２で受信した信号は、増やされるメモ書類が生成されるべき特定の情報伝達イベントを識別する。また、ステップ８０２で受信された信号は、増やされるメモ書類が生成されるべきところのメモを取るために使用されるメモ取得装置１０２を識別する。
【０１２６】
その信号を受信すると、データ処理システム１０４は、メモ取得装置１０２により捕捉される情報にアクセスし、そのメモ取得装置１０２は増やされる書類の生成が要求されるところのメモを取るために使用される（ステップ８０４）。上述したように、データ処理システム１０４は、通信リンクによるもの、ネットワークによるもの、メモ取得装置１０２がデータ処理システム１０４にドッキングされるならば情報が格納される中央データベースからドッキングインターフェースによるもの等を含むいくつかの異なる手法の１つでメモ取得装置１０２からの情報にアクセスする。ステップ５０４でアクセスされる情報は、メモ取得装置によって取得された書き込まれた情報及び他の関連情報を包含する。書き込み情報は、情報伝達イベント中にメモ取得装置１０２を用いてユーザが取得したメモを表現する情報を含む。また、書き込み情報は、特定の種別の情報がユーザのメモに組み込まれるべきことを示すために、ユーザによって付されたマークに関する情報をも包含する。また、書き込み情報に関連する情報は、その書き込み情報に関連する時間情報、ページ情報及び（利用可能ならば）位置情報を含み得る。本発明の実施例によれば、メモ情報並びに関連付けられる時間、ページ及び位置情報は、ＸＭＬフォーマットで表現される。
【０１２７】
また、ステップ８０４でアクセスされる情報は、特定の種別の情報がユーザのメモに組み込まれるべきことを示すイベント又は信号に関連する、メモ取得装置１０２その他の装置又はアプリケーションによって捕捉される情報を含む。イベント又は信号に関連する情報は、そのイベント又は信号を識別し、そのユーザのメモに組み込まれるべき特定の種別の情報を（又は特定のソースにより）識別する。また、イベント又は信号に関連する情報は、そのイベント又は信号が生じた時を示す情報を包含する。イベントに関連するメモ内情報のような他の情報も包含され得る。
【０１２８】
データ処理システム１０４は、メモに統合すべき情報を示す１以上のイベント又は信号を判別する（ステップ８０６）。上述したように、カメラのような情報捕捉装置を利用して情報伝達イベント中に情報を捕捉する動作は、ステップ８０６で判別されるイベントを表現する。情報伝達イベント中に生じたいくつかの別の種類のイベント及び信号も判別され得る。また、ステップ８０６で判別された情報は、各イベント又は信号に対応する情報を捕捉するために使用される情報捕捉装置を識別する。
【０１２９】
データ処理システム１０４は、ステップ８０４でアクセスした情報からステップ８０６におけるイベント又は信号を判別する。また、データ処理システム１０４は、１以上の情報捕捉装置によって格納された情報により、又は他の装置やアプリケーションによって格納された情報により、イベント又は信号を判別する。
【０１３０】
データ処理システム１０４は、ステップ８０６にて識別された各イベント又は信号に関連する時間情報を判別する（ステップ８０８）。時間情報は通常的にはイベント又は信号が生じた時を示す。
【０１３１】
データ処理システム１０４は、ステップ８０６で識別した各イベント又は信号に対応する捕捉情報の部分を判別する（ステップ８１０）。イベント又は信号に関する捕捉された情報部分は、そのイベント又は信号に関連する時間情報に基づいて、及び捕捉された情報に関連する時間情報に基づいて判別される。イベント又は信号に関して判別された情報の部分は、そのイベント又は信号に対応する情報の種別に依存して変り得る。イベント又は信号に対応する情報の種別が映像情報であるならば、ステップ８１０で決定される部分は、その映像情報から選択され且つそのイベント又は信号に関連する時間情報と同一又は近接するタイムスタンプを有する１以上のキーフレームに対応する。イベント又は信号に対応する情報の種別が画像情報であるならば、ステップ８１０で決定される部分は、マークの時間と同一又は近接する時間を有する、画像捕捉装置により捕捉された画像から選択された画像に対応する。イベント又は信号に関連する時間と同じタイムスタンプを有する画像が無いならば、イベント又は信号の時間に対して時間的に最も近い画像が、ステップ８１０における情報部分として選択される。情報の種別が音声情報に対応するならば、データ処理システム１０４は、音声捕捉装置により捕捉された音声情報から音声部分を選択する。本発明の実施例によれば、イベント又は信号の時間からの過去の音声情報部分のユーザ設定可能な固定長（例えば、音声情報の１０秒）は、捕捉された音声情報から選択される。いくつかの実施例では、イベント又は信号の時間から将来的な音声情報の部分も、その過去から選択される部分と共に選択され得る。別の実施例によれば、選択された音声部分は、そのイベント又は信号の時点で話された特定の文、及びその文近辺で話された１以上の文章を含み得る。当業者に既知の他の様々な発見的方法が、ステップ８１０にてイベント又は信号の各々について捕捉される情報の部分を選択するために使用され得ることが、理解されるべきである。
【０１３２】
ステップ８０６で識別されるイベント又は信号の各々について、データ処理システム１０４は、ステップ８１０にてイベント又は信号について決定された捕捉情報部分に対する静的な視覚的表現を生成する（ステップ８１２）。図５Ｂに示されるフローチャート５００に関して上述したように、特定のイベント又は信号について捕捉された情報の部分に対する静的な視覚的表現は、捕捉された情報の種別に依存する。
【０１３３】
データ処理システム１０４は、１以上の書類に印刷されることの可能な増やされるメモの電子バージョンを生成する（ステップ８１４）。増やされるメモの電子バージョンは、ステップ８０６で判別されたイベント又は信号についてステップ８１０で判別された情報分について生成される静的な視覚的表現と共に、ユーザの書いたメモの視覚的表現を包含する。増やされるメモの電子バージョンは、ユーザの書いたメモを、そのメモに組み込むようにユーザにより区別された情報の静的な視覚的表現と共に統合する。増やされるメモの電子バージョンに様々な異なるフォーマットが使用され得る。本発明の実施例によれば、増やされるメモの電子バージョンに使用されるフォーマットは、メモを取るのに使用されるページのフォーマットに類似する。また、上述したように、増やされるメモの電子バージョンは、増やされるメモの電子バージョンに含まれる１以上の静的な視覚的表現に関するインデックス情報より成る。
【０１３４】
上述したように、増やされるメモの電子バージョンは、紙に印刷されることの可能な画像ファイルやＰＤＦファイル等のような様々なフォーマットで生成される。また、他の実施例では、増やされるメモの電子バージョンは、紙に印刷されることの可能なウェブページ形式で生成される。ある例では（例えば、ウェブページの例では）、ユーザは増やされるメモの電子バージョンとやりとりをすることが許容される。例えば、ユーザのメモに統合されるべき情報の様々な部分に関するリンクを有するウェブページが生成される。ユーザは、そのリンクに対応する情報の捕捉された部分にアクセスするためにリンクを選択する。
【０１３５】
本発明の実施例によれば、ステップ８１４で実行される処理の一部として、ステップ８０６で識別されたイベント又は信号の印の各々について、データ処理システム１０４は、ステップ８１２で生成した静的な視覚的表現を配置するために、ユーザのメモの視覚的表現内の場所を判別する。ユーザのメモの視覚的表現における静的な視覚的表現の場所を判別するために、様々な異なる技術が使用される。静的な視覚的表現を配置する位置の粒度は、本発明の異なる実施例では異なり得る。ある実施例では、メモ内位置情報は、利用可能ならば、イベント又は信号についての静的な視覚的表現を配置するページを決定するために使用され得る。
【０１３６】
本発明の実施例によれば、配置の緻密さは、ページレベルにおけるものであり、静的な視覚的表現に対応するイベント又は信号に関連する情報に基づく。本実施例では、イベント又は信号の各々について、イベント又は信号に関連する時間に基づいて、及び捕捉され書かれた情報に関連する時間情報やページ情報に基づいて、データ処理システム１０４は、イベント又は信号に関する静的な視覚的表現を設けるために、増やされるメモの電子バージョンにおけるメモのページを決定する。また、ある実施例では、メモ内情報は、イベント又は信号について静的な視覚的な表現を設けるページを決定するために使用される。
【０１３７】
他の実施例では、イベント又は信号に関連する時間に基づいて、並びに捕捉され書き込まれた情報に関連する時間情報、ページ情報及び位置情報に基づいて、メモの視覚的な表現中の特定のページにおける特定の場所は、イベント又は信号に関する静的な視覚的な表現を設けるために決定される。本発明の実施例によれば、選択される場所（ロケーション）は、そのイベント又は信号のタイムスタンプと近似的に等しい又は近接するタイムスタンプを有するストロークに近接する。
【０１３８】
また、視覚的な表現をページに配置する位置を決定するために他のいくつもの発見的方法が使用され得る。例えば、視覚的な表現は、時系列順に上から下に向かうページの余白位置に沿って配置され得る。情報捕捉装置が、捕捉した情報と共にメモ内位置情報を格納する実施例では、そのメモ内位置情報は、静的な視覚的表現に対する位置を識別するために使用される。
【０１３９】
静的な視覚的表現のサイズは、固定的であってもよいし、静的な視覚的表現を設けるのに利用可能なメモ中の場所のサイズに基づいて可変的であってもよい。例えば、静的な視覚的な表現のサイズは、その静的な視覚的な表現を配置するためのメモページに利用可能なブランクスペースを充填するように大きくすることができる。また、静的な視覚的な表現のサイズは、メモ中の利用可能なスペースにそれを適合させるように減縮される（又は切り取られる）ことも可能である。
【０１４０】
ステップ８１４で生成される増やされるメモの電子バージョンは、増やされるメモの書類を生成するために１以上の用紙に印刷され得る（ステップ８１６）。データ処理システム１０４は、ステップ８１４で生成された増やされるメモの電子バージョンを書類出力装置に通知し、その書類出力装置は、増やされるメモの電子バージョンを１以上の用紙に印刷することで、増やされるメモの書類を生成する。
【０１４１】
増やされるメモ書類の内容は、メモをとる際にユーザのメモに統合されるようにユーザにより区別された捕捉された情報の静的な視覚的表現と共に、ユーザの書いた可視的な表現を有する。増やされるメモ書類は、ユーザの書いたメモを、メモに組み込まれるようにユーザにより識別された情報の静的な視覚的な表現と共に統合する。また、増やされるメモ書類の内容は、捕捉された電子情報にアクセスするために、増やされたメモ書類のユーザによって使用されるインデックス情報より成る。
【０１４２】
また、マーク及びイベント又は信号に加えて、情報伝達イベント中にユーザのメモに組み込まれるように捕捉された情報の一部を自動的に選択するために、他の発見的方法も使用され得る。本発明の実施例によれば、情報伝達イベント中に捕捉される情報部分のどの時点及びどの部分がユーザのメモに含まれるべきかを管理する規則が決められる。例えば、ユーザの決めた規則は、ユーザが「多くのメモ」をとる場合に捕捉された情報の部分が、そのユーザのメモに組み込まれるべきことを示し得る。「多くのメモ」の条件は、１分当りにユーザによって書かれたストローク数に基づく閾値によって特徴付けられる。この規則によれば、「多くのメモ」の条件が合致した場合に（例えば、その条件を特徴付ける閾値に合致した場合に）捕捉される情報の部分は、ユーザのメモに組み込まれる。「話者が長時間喋った」場合に捕捉された音声情報の部分がユーザのメモに組み込まれることを示す別の規則が定められ得る。長時間を示す閾値は、「話者が長時間喋る」場合の条件を特徴付けるために使用され得る。この規則によれば、「話者が長時間喋る」条件が満たされた場合に、捕捉された情報がユーザのメモに組み込まれる。また、いくつもの他の規則及び発見的方法が、いつのどの部分の捕捉情報がユーザのメモに組み込まれるかを示すために使用され得る。
【０１４３】
本発明の特定の実施例が説明されてきたが、様々な修正、変更、代替構成及び均等物も本発明の範疇に含まれる。説明された発明は、ある具体的なデータ処理環境での動作に制限されず、複数のデータ処理環境での動作にも制限されない。例えば、上述の実施例では、書き込み情報及び他の関連情報（例えば、時間情報）は、メモ取得装置１０２によって捕捉される。他の実施例では、情報は、そのメモを書くために使用されるマーキング装置によって捕捉される。例えば、情報は、そのメモを書くために使用されるペンによって捕捉される。そのようなペンの例は、ロジテック（登録商標）インコーポレーションにより製造されるＩｏ（商標）ペンである。Ｉｏ（商標）ペンは、人の手書きメモのディジタルバージョンを捕捉及び格納する。このペンは、特殊な紙のパッドに人が書いたメモを捕捉する光センサに備えられる。Ｉｏ（商標）は、画像ファイルフォーマットを利用して、その内部メモリに複数ページの手書きメモを格納し得る。本発明の教示によれば、Ｉｏ（商標）ペンによって格納される情報は、増やされるメモ書類を生成するために使用される。また、メモを捕捉することの可能な他のシステムが、本システムの代替実施例で書き込み情報を捕捉するために使用される。
【０１４４】
加うるに、本発明は特定の一連の処理及びステップを利用して説明されてきたが、本発明の範囲が説明された一連の処理及びステップに限定されないことは、当業者に明らかであろう。
【０１４５】
更に、本発明はハードウエア及びソフトウエアの特別な組み合わせを利用して説明されてきたが、ハードウエア及びソフトウエアの別の組み合わせも本発明の範疇にあることが認識されるべきである。本発明は、ハードウエアのみにより、ソフトウエアのみにより、又はそれらの組み合わせを利用して実現され得る。
【０１４６】
従って、明細書及び図面は、制限的な意味ではなく例示と考えられるべきである。しかしながら、特許請求の範囲に記載された本発明の広範な範囲及び精神から逸脱することなしに、付加、削減、除去その他の修正及び変更がそれらになされ得ることは、明らかであろう。
【図面の簡単な説明】
【０１４７】
【図１Ａ】本発明の簡略化された実施例を示す図である。
【図１Ｂ】本発明の簡略化された実施例を示す図である。
【図２】本発明の実施例によるメモを取る装置の概略ブロック図である。
【図３】本発明の実施例によるメモを取るのに使用され得る紙ページの例を示す図である。
【図４】本発明の実施例によるメモを取るのに使用され得る紙ページの別の例を示す図である。
【図５Ａ】本発明の実施例による多くのメモ書類を生成する方法を描く概略的な上位概念的フローチャートを示す。
【図５Ｂ】本発明の実施例による多くのメモ書類を生成する方法を描く概略的な上位概念的フローチャートを示す。
【図６Ａ】本発明の実施例による、ユーザが取ったメモと、ユーザのメモに統合される情報を確認するためにユーザが付けた印とを示す概略的な紙ページの例を示す図である。
【図６Ｂ】図６Ａに描かれた紙ページに対して、本発明の実施例による生成された概略的な増やされるメモ書類を示す図である。
【図７Ａ】本発明の実施例による、ユーザが取ったメモと、ユーザのメモに統合される情報を確認するためにユーザが付けた印とを示す概略的な紙ページの例を示す図である。
【図７Ｂ】図７Ａに描かれた紙ページに対して、本発明の実施例による生成された概略的な増やされるメモ書類を示す図である。
【図８】本発明の実施例による多くのメモ書類を生成する方法を描く概略的な上位概念的フローチャートを示す図であり、捕捉された情報の１以上がメモに組み込まれるべきことを示すためにイベント又は信号が使用される。
【符号の説明】
【０１４８】
１００  情報捕捉装置
１０２  メモ取得装置
１０４  データ処理システム
１０６  書類出力装置
１０８  増やされたメモ書類
２０２  プロセッサ
２０４  格納サブシステム
２０６  タイマーサブシステム
２０８  通信サブシステム
２１０  Ｉ／Ｏサブシステム
２１２  位置捕捉装置
２１４  ページ情報リーダ
２１６  スペース
２１８  用紙
２２０  マーキング装置
２２２  情報
３００  紙ページ
３０２，３０４，３０６，３０８  特別領域
３１０  情報
３１２  スペース
４００  紙ページ
４０２，４０４，４０６，４０８  特別領域
４１０  情報
４１２  スペース
６００  紙ページ
６０２  ページ識別子
６０４  特別領域
６０６  セクション
６０８，６１０  マーク
６５０  書類ページ
６５２  セクション
６５４  翻音部
６５６  スライド
６５８  インデックス情報
７００  紙ページ
７０２  セクション
７０４  ページ識別子
７５０  書類ページ
７５２  セクション
【図１Ａ】
2004240968.tif 000003
【図１Ｂ】
2004240968.tif 000004
【図２】
2004240968.tif 000005
【図３】
2004240968.tif 000006
【図４】
2004240968.tif 000007
【図５Ａ】
2004240968.tif 000008
【図５Ｂ】
2004240968.tif 000009
【図６Ａ】
2004240968.tif 000010
【図６Ｂ】
2004240968.tif 000011
【図７Ａ】
2004240968.tif 000012
【図７Ｂ】
2004240968.tif 000013
【図８】
2004240968.tif 000014